(57)【要約】 【課題】  本発明は、学校と企業が連携して学内説明会を開催し、学生に対しては希望する就職先を、企業に対しては求める人材を、紹介することのできる新卒者採用システムを提供することを目的とするものである。【解決手段】  本発明は、インターネットを介して企業、学校又は学生のクライアントからサーバにアクセスし、データベースに説明会日時情報を作成することにより、学校又は企業に対して説明会参加打診及び日程調整を行う手段、学校に対して企業の説明会開催要請を行ったり、データベースに説明会参加情報を作成することにより、学校に対して説明会参加申込みを行う手段、及びデータベースにインターン情報を作成することにより、学生が企業に対してインターン申込みを行い、企業がインターンシップの期間を指定するインターン受付の手段を有することを特徴とする新卒者採用システムの構成とした。【選択図】  図１
2007102594.tif 000002
【特許請求の範囲】
【請求項１】
データベースを有するサーバと、前記サーバのデータベースに企業情報を登録した企業、学校情報を登録した学校、及び学生情報を登録した学生のクライアントとからなり、インターネットを介して学生のクライアントからサーバにアクセスし、学校に対して企業の説明会開催要請を行う手段、前記説明会開催要請を受け、インターネットを介して学校又は企業のクライアントからサーバにアクセスし、データベースに説明会日時情報を作成することにより、企業又は学校に対して説明会参加打診を行う手段、前記説明会参加打診を受けて、インターネットを介して企業又は学校のクライアントからサーバにアクセスし、データベースの説明会日時情報を更新することにより、学校又は企業に対して日程調整を行う手段、前記日程調整後に、インターネットを介して学生のクライアントからサーバにアクセスし、データベースに説明会参加情報を作成することにより、学校に対して説明会参加申込みを行う手段、及び前記説明会参加申込み後に、インターネットを介して学生のクライアントからサーバにアクセスし、データベースにインターン情報を作成することにより、企業に対してインターン申込みを行う手段、前記インターン申込みを受けて、インターネットを介して企業のクライアントからサーバにアクセスし、データベースのインターン情報を更新することにより、学生に対してインターン受付を行う手段を有することを特徴とする新卒者採用システム。
【請求項２】
インターネットを介して企業のクライアントからサーバにアクセスし、データベースに推薦情報を作成することにより、学校に対して推薦募集を行う手段、前記推薦募集を受けて、インターネットを介して学校のクライアントからサーバにアクセスし、データベースに提供情報を作成することにより、学生に対し推薦募集について情報提供を行う手段、前記情報提供を受けて、インターネットを介して学生のクライアントからサーバにアクセスし、データベースに推薦申込情報を作成することにより、学校に対し推薦募集について自己推薦を行う手段、前記自己推薦を受け、インターネットを介して学校のクライアントからサーバにアクセスし、データベースの推薦申込情報を更新することにより、企業に対し推薦募集について学校推薦を行う手段、及び前記学校推薦を受け、インターネットを介して企業のクライアントからサーバにアクセスし、データベースの推薦申込情報を更新することにより、学生に対し推薦募集について結果通知を行う手段を有することを特徴とする請求項１に記載の新卒者採用システム。
【請求項３】
インターネットを介して企業のクライアントからサーバにアクセスし、データベースに入社試験情報を作成することにより、学生に対し入社試験を行う手段、前記入社試験後に、インターネットを介して企業のクライアントからサーバにアクセスし、データベースの入社試験情報を更新することにより、学生に対し入社試験について結果通知を行う手段を有することを特徴とする請求項１又は請求項２に記載の新卒者採用システム。
【発明の詳細な説明】
【技術分野】
【０００１】
本発明は、学校と企業が連携して学内説明会を開催し、学生に対しては希望する就職先を、企業に対しては求める人材を、紹介することのできる新卒者採用システムに関するものである。
【背景技術】
【０００２】
従来、学校卒業後に就職を希望する者は、学校から就職情報を入手して、自分で希望する条件に合う就職先を探していた。尚、就職情報をデータベース化して、容易に希望する就職先を検索できるようにしたものも存在する。
【０００３】
特許文献１に記載されているように、ネットワークを介したアンケートにより利用者の学力や知識力を採点して、進学又は就職先で求められるレベルと照合し、利用者のレベルに適した学校や企業をデータベースから抽出して利用者に提供する進路案内システムという発明も公開されている。
【特許文献１】特開２００５−１０８０９６号公報
【発明の開示】
【発明が解決しようとする課題】
【０００４】
しかしながら、特許文献１に記載の発明は、利用者に紹介される進学又は就職先が、利用者の学力や知識力によってしまうため、必ずしも利用者が希望する進学又は就職先が紹介されるとは限らない。
【０００５】
そこで、本発明は、学校と企業が連携して学内説明会を開催し、学生に対しては希望する就職先を、企業に対しては求める人材を、紹介することのできる新卒者採用システムを提供することを目的とするものである。
【課題を解決するための手段】
【０００６】
本発明は、上記の課題を解決するために、データベースを有するサーバと、前記サーバのデータベースに登録した企業、学校及び学生のクライアントとからなり、インターネットを介して企業又は学校のクライアントからサーバにアクセスし、データベースに説明会日時情報を作成することにより、学校又は企業に対して説明会参加打診及び日程調整を行う手段、インターネットを介して学生のクライアントからサーバにアクセスし、学校に対して企業の説明会開催要請を行ったり、データベースに説明会参加情報を作成することにより、学校に対して説明会参加申込みを行う手段、及びインターネットを介して学生又は企業のクライアントからサーバにアクセスし、データベースにインターン情報を作成することにより、学生が企業に対してインターン申込みを行い、企業がインターンシップの期間を指定するインターン受付の手段を有することを特徴とする新卒者採用システムの構成とした。
【発明の効果】
【０００７】
本発明は、以上の構成であるから以下の効果が得られる。第１に、インターネットを利用することにより、希望する学校又は企業を検索して、学内説明会を開催するように、又は学内説明会に参加するように申し入れることが、簡単にできるようになる。
【０００８】
第２に、学生は希望する企業の学内説明会への参加打診を学校に要請したり、容易に学内説明会に参加することができ、更に、インターンシップに参加することにより、就職したい企業を充分に吟味することができるようになる。
【０００９】
第３に、企業が学校に対し推薦枠を設定し、学校が学生に対しインターネットを利用して情報提供することにより、学生は推薦に応募しやすくなり、企業への学校推薦も容易に行うことができるようになる。
【発明を実施するための最良の形態】
【００１０】
本発明は、学校と企業が連携して学内説明会を開催し、学生に対しては希望する就職先を、企業に対しては求める人材を紹介するという目的を、データベースを有するサーバと、前記サーバのデータベースに登録した企業、学校及び学生のクライアントとからなり、インターネットを介して企業又は学校のクライアントからサーバにアクセスし、データベースに説明会日時情報を作成することにより、学校又は企業に対して説明会参加打診及び日程調整を行う手段、インターネットを介して学生のクライアントからサーバにアクセスし、学校に対して企業の説明会開催要請を行ったり、データベースに説明会参加情報を作成することにより、学校に対して説明会参加申込みを行う手段、及びインターネットを介して学生又は企業のクライアントからサーバにアクセスし、データベースにインターン情報を作成することにより、学生が企業に対してインターン申込みを行い、企業がインターンシップの期間を指定するインターン受付の手段を有する新卒者採用システムとすることで実現した。
【実施例１】
【００１１】
以下に、添付図面に基づいて、本発明である新卒者採用システムについて詳細に説明する。図１は、本発明である新卒者採用システムの全体の概要を示す図であり、図２は、本発明である新卒者採用システムのコンピュータの構成を示す図であり、図３は、本発明である新卒者採用システムのサーバの内部構造を示す図である。
【００１２】
新卒者採用システム１は、データベース６を有するサーバ５と、前記サーバ５のデータベース６に企業情報６ｂを登録した企業２、学校情報６ｃを登録した学校３、及び学生情報６ｄを登録した学生４のクライアント７とからなり、インターネット８を介して学生４のクライアント７からサーバ５にアクセスし、学校３に対して企業２の説明会開催要請１５を行う手段、前記説明会開催要請１５を受け、インターネット８を介して学校３又は企業２のクライアント７からサーバ５にアクセスし、データベース６に説明会日時情報６ｅを作成することにより、企業２又は学校３に対して説明会参加打診１３を行う手段、前記説明会参加打診１３を受けて、インターネット８を介して企業２又は学校３のクライアント７からサーバ５にアクセスし、データベース６の説明会日時情報６ｅを更新することにより、学校３又は企業２に対して日程調整１４を行う手段、前記日程調整１４後に、インターネット８を介して学生４のクライアント７からサーバ５にアクセスし、データベース６に説明会参加情報６ｆを作成することにより、学校３に対して説明会参加申込み１６を行う手段、及び前記説明会参加申込み１６後に、インターネット８を介して学生４のクライアント７からサーバ５にアクセスし、データベース６にインターン情報６ｇを作成することにより、企業２に対してインターン申込み１７を行う手段、前記インターン申込み１７を受けて、インターネット８を介して企業２のクライアント７からサーバ５にアクセスし、データベース６のインターン情報６ｇを更新することにより、学生４に対してインターン受付１８を行う手段を有することを特徴とする。
【００１３】
図１に示すように、新卒者採用システム１は、企業２、学校３及び学生４が利用する。企業２、学校３及び学生４は、まず新卒者採用システム１に対して登録１１を行い、利用時に新卒者採用システム１において認証１２を受けることで使用可能となる。
【００１４】
企業２は、新卒者を採用する予定のある会社等である。学校３は、大学院、大学、短大、専門学校、高等学校又は専修学校である。学生４は、学校３を卒業する予定の者であって、就職を希望する者である。
【００１５】
登録１１は、企業２、学校３及び学生４が使用者である旨及び企業２、学校３及び学生４に関する情報を新卒者採用システム１に記録し、企業２、学校３及び学生４の間で情報をやり取りできるようにする。
【００１６】
認証１２は、登録１１している企業２、学校３及び学生４のみが新卒者採用システム１を使用するのを認め、登録１１していない者が新卒者採用システム１を使用できないように確認する。
【００１７】
新卒者採用システム１は、登録１１及び認証１２以外に、説明会参加打診１３、日程調整１４、説明会開催要請１５、説明会参加申込み１６、インターン申込み１７及びインターン受付１８の手段を有する。
【００１８】
説明会参加打診１３は、企業２が学校３に対し学内説明会を行いたい旨を伝える、又は学校３が企業２に対し学内説明会を行ってもらいたい旨を伝える。尚、学内説明会の開催は、企業２と学校３のどちらが先に申し出ても良い。
【００１９】
日程調整１４は、説明会参加打診１３により学内説明会の開催が決定したら、企業２又は学校３が学内説明会の日程を調整する。企業２が説明会参加打診１３を行ったら、学校３が日程調整１４を行い、逆に、学校３が説明会参加打診１３を行ったら、企業２が日程調整１４を行う。
【００２０】
説明会開催要請１５は、学生４が学校３に対し、学生４の希望する企業２に説明会参加打診１３を行って欲しい旨の要望を出す。学校３は、説明会開催要請１５があったら、企業２に対し説明会参加打診１３を行う。
【００２１】
説明会参加申込み１６は、説明会参加打診１３及び日程調整１４により学内説明会の開催が決定しているものについて、学生４が参加を申し込む。尚、学内説明会の開催が予定されていない場合には、まず説明会開催要請１５を行う。
【００２２】
インターン申込み１７は、学内説明会に参加した学生４が、企業２で短期間業務を体験するインターンシップを申し込む。学生４は、学内説明会の内容と実際の業務とを比較することができる。
【００２３】
インターン受付１８は、インターン申込み１７を受けた企業２が、学生４に対しインターンシップを受け入れるか否かの返答を行い、インターンシップに参加してもらう場合には、参加期間を設定する。
【００２４】
図２に示すように、新卒者採用システム１は、データベース６を有するサーバ５と、企業２のクライアント７、学校３のクライアント７及び学生４のクライアント７とが、インターネット８を介して接続される。
【００２５】
サーバ５は、企業２のクライアント７、学校３のクライアント７、学生４のクライアント７にファイル等を提供するコンピュータであり、新卒者採用システム１のプログラム及びデータを有する。
【００２６】
データベース６は、企業２、学校３及び学生４のデータを蓄積し、検索しやすいように整理及び統合したファイルであり、企業２、学校３及び学生４がお互いに情報を共用することができる。
【００２７】
企業２のクライアント７は、企業２が新卒者採用システム１を使用するためのコンピュータである。学校３のクライアント７は、学校３が新卒者採用システム１を使用するためのコンピュータである。学生４のクライアント７は、学生４が新卒者採用システム１を使用するためのコンピュータである。
【００２８】
インターネット８は、コンピュータのネットワークであり、サーバ５と、企業２のクライアント７、学校３のクライアント７又は学生４のクライアント７との間のデータ通信を可能にする。
【００２９】
図３に示すように、新卒者採用システム１のサーバ５は、一般的なコンピュータと同様に、中央処理装置５ａ、記憶装置５ｂ及びインタフェース５ｃ等からなり、新卒者採用システム１の中心となる機器である。
【００３０】
中央処理装置５ａは、コンピューターの中枢となる装置で、記憶装置５ｂのデータに対し演算９を行ったり、プログラムの実行を制御１０したり、記憶装置５ｂ又はインタフェース５ｃなど他の装置の動作を制御１０する。
【００３１】
記憶装置５ｂは、集積回路（例えばＬＳＩ）等を用いた主記憶装置と、磁気ディスク（例えばハードディスク）等を用いた補助記憶装置とからなる。尚、光ディスク（例えばＣＤ−ＲＯＭ）等の記憶媒体も補助記憶装置に含むものとする。
【００３２】
補助記憶装置には、プログラムとデータベース６等がファイルとして保存される。新卒者採用システム１における各手段は、中央処理装置５ａが補助記憶装置から必要なプログラム及びデータを主記憶装置に読み込み、プログラムに記載された命令を解釈して実行を制御することにより実現される。
【００３３】
プログラムは、登録１１、認証１２、説明会参加打診１３、日程調整１４、説明会開催要請１５、説明会参加申込み１６、インターン申込み１７及びインターン受付１８が部品化されたモジュールとして置かれる。
【００３４】
データベース６は、管理情報６ａ、企業情報６ｂ、学校情報６ｃ、学生情報６ｄ、説明会日時情報６ｅ、説明会参加情報６ｆ及びインターン情報６ｇがリレーショナルデータベースとして構築される。
【００３５】
インタフェース５ｃは、サーバ５と、クライアント７等の他の機器とのデータをやり取りする装置である。記憶装置５ｂのデータをサーバ５の外部へ送信したり、外部から受信したデータを記憶装置５ｂに保存したりする。
【００３６】
図４は、本発明である新卒者採用システムの登録の手段を示すフローチャートである。企業２、学校３又は学生４が未登録の場合にのみ行い、既に登録１１が済んでいる場合には、認証１２を行う。
【００３７】
登録１１の手段は、システム接続１１ａ、初期画面返送１１ｂ、新規登録選択１１ｃ、入力画面返送１１ｄ、基本情報入力１１ｅ、ＤＢアクセス１１ｆ、データ追加１１ｇ及びＩＤ発行１１ｈの手続きからなる。
【００３８】
システム接続１１ａは、企業２、学校３又は学生４のクライアント７からインターネット８を介してサーバ５にアクセスし、新卒者採用システム１を起動する。尚、複数の企業２、学校３又は学生４のクライアント７から同時に起動することが可能である。
【００３９】
初期画面返送１１ｂは、サーバ５が企業２、学校３又は学生４のクライアント７に対し、サーバ５の記憶装置５ｂにある初期画面１９のファイルを返信し、クライアント７の出力装置（例えばディスプレイ）に表示する。
【００４０】
新規登録選択１１ｃは、企業２、学校３又は学生４のクライアント７に表示された初期画面１９において、新規登録を選択し、企業２、学校３又は学生４の登録１１を行う旨をサーバ５に通知する。
【００４１】
入力画面返送１１ｄは、サーバ５がクライアント７に対し、登録１１するデータを入力するための画面を返信する。尚、企業２に対しては企業側入力画面２０、学校３に対しては学校側入力画面２１、学生４に対しては学生側入力画面２２を送る。
【００４２】
基本情報入力１１ｅは、企業側入力画面２０、学校側入力画面２１又は学生側入力画面２２が表示されたクライアント７から登録１１するデータを入力し、インターネット８を介してサーバ５に送信する。
【００４３】
ＤＢアクセス１１ｆは、クライアント７から送られたデータを基に、サーバ５がデータベース６を操作する命令を作成する。尚、データベース６の操作は、データベース管理システムが行う一連の処理によって実行される。
【００４４】
データ追加１１ｇは、サーバ５で作成された命令に従い、データベース６にデータを追加する。尚、企業２のデータは企業情報６ｂ、学校３のデータは学校情報６ｃ、学生４のデータは学生情報６ｄに追加される。
【００４５】
ＩＤ発行１１ｈは、登録１１した企業２、学校３又は学生４に対し、ＩＤ及びパスワードを設定し、企業２、学校３又は学生４のクライアント７にメール等で通知する。尚、ＩＤ及びパスワードは、データベース６の管理情報６ａに記録される。
【００４６】
図５は、本発明である新卒者採用システムの初期画面を示す図である。初期画面１９には、新規登録領域１９ａとログイン領域１９ｂとがあり、登録１１を行う場合は新規登録領域１９ａに、認証１２を行う場合はログイン領域１９ｂを使用する。
【００４７】
新規登録領域１９ａには、企業２が登録１１するための企業登録ボタン１９ｃ、学校３が登録１１するための学校登録ボタン１９ｄ、及び学生４が登録１１するための学生登録ボタン１９ｅが配置される。
【００４８】
企業登録ボタン１９ｃを押すと、サーバ５に企業側入力画面２０を送るように要求し、学校登録ボタン１９ｄを押すと、サーバ５に学校側入力画面２１を送るように要求し、学生登録ボタン１９ｅを押すと、サーバ５に学生側入力画面２２を送るように要求する。
【００４９】
ログイン領域１９ｂには、企業２、学校３又は学生４に発行されたＩＤを入力するＩＤ入力欄１９ｆ、ＩＤに対するパスワードを入力するパスワード入力欄１９ｇ、及び認証１２を開始するためのＯＫボタン１９ｈが配置される。
【００５０】
ＯＫボタン１９ｈを押すと、入力したＩＤ及びパスワードがサーバ５に送られ、認証１２が行われる。認証１２に失敗した場合は、再度初期画面１９が表示され、登録１１又は認証１２を行うことができる。
【００５１】
図６は、本発明である新卒者採用システムの企業側の基本情報の入力画面を示す図であり、図７は、本発明である新卒者採用システムの学校側の基本情報の入力画面を示す図であり、図８は、本発明である新卒者採用システムの学生側の基本情報の入力画面を示す図である。
【００５２】
図６に示すように、企業側入力画面２０には、企業２に関する項目２０ａ、項目２０ａに対して入力を行うための入力欄２０ｂ及び登録１１を開始するためのＯＫボタン２０ｃが配置される。
【００５３】
項目２０ａとしては、企業名、所在地、電話番号、ＦＡＸ番号、メールアドレス、ホームページ、業種、職種、募集人数などが設けられ、項目２０ａに対する内容が企業２の基本情報となる。
【００５４】
入力欄２０ｂは、文字を直接入力する形式、一覧から選択する形式、該当するか否かを選択する形式、又は候補から選択する形式など、入力する内容に適した形式で設けることができる。
【００５５】
ＯＫボタン２０ｃを押すと、入力欄２０ｂに入力したデータがサーバ５に送られ、データベース６の企業情報６ａにデータが追加される。尚、入力内容に不備がある場合には、警告して再入力を求める。
【００５６】
図７に示すように、学校側入力画面２１には、学校３に関する項目２１ａ、項目２１ａに対して入力を行うための入力欄２１ｂ及び登録１１を開始するためのＯＫボタン２１ｃが配置される。
【００５７】
項目２１ａとしては、学校名、所在地、電話番号、ＦＡＸ番号、メールアドレス、ホームページ、学部、学科、特色などが設けられ、項目２１ａに対する内容が学校３の基本情報となる。
【００５８】
入力欄２１ｂは、文字を直接入力する形式、一覧から選択する形式、該当するか否かを選択する形式、又は候補から選択する形式など、入力する内容に適した形式で設けることができる。
【００５９】
ＯＫボタン２１ｃを押すと、入力欄２１ｂに入力したデータがサーバ５に送られ、データベース６の学校情報６ｂにデータが追加される。尚、入力内容に不備がある場合には、警告して再入力を求める。
【００６０】
図８に示すように、学生側入力画面２２には、学生４に関する項目２２ａ、項目２２ａに対して入力を行うための入力欄２２ｂ及び登録１１を開始するためのＯＫボタン２２ｃが配置される。
【００６１】
項目２２ａとしては、学校名、学部・学科、学籍番号、氏名、性別、生年月日、住所、電話番号、メールアドレスなどが設けられ、項目２２ａに対する内容が学生４の基本情報となる。
【００６２】
入力欄２２ｂは、文字を直接入力する形式、一覧から選択する形式、該当するか否かを選択する形式、又は候補から選択する形式など、入力する内容に適した形式で設けることができる。
【００６３】
ＯＫボタン２２ｃを押すと、入力欄２２ｂに入力したデータがサーバ５に送られ、データベース６の学生情報６ｃにデータが追加される。尚、入力内容に不備がある場合には、警告して再入力を求める。
【００６４】
図９は、本発明である新卒者採用システムの認証の手段を示すフローチャートである。認証１２の手段は、システム接続１２ａ、初期画面返送１２ｂ、ＩＤ入力１２ｃ、ＤＢアクセス１２ｄ、ＩＤ照合１２ｅ及び選択画面返送２３の手続きからなる。
【００６５】
システム接続１２ａは、企業２、学校３又は学生４のクライアント７からインターネット８を介してサーバ５にアクセスし、新卒者採用システム１を起動する。尚、複数の企業２、学校３又は学生４のクライアント７から同時に起動することが可能である。
【００６６】
初期画面返送１２ｂは、サーバ５が企業２、学校３又は学生４のクライアント７に対し、サーバ５の記憶装置５ｂにある初期画面１９のファイルを返信し、クライアント７の出力装置（例えばディスプレイ）に表示する。
【００６７】
ＩＤ入力１２ｃは、企業２、学校３又は学生４のクライアント７に表示された初期画面１９において、企業２、学校３又は学生４に発行されたＩＤ及びパスワードを入力し、サーバ５に送る。
【００６８】
ＤＢアクセス１２ｄは、データベース６の管理情報６ａにクライアント７から送られてきたＩＤ及びパスワードが記録されているかどうかを検索する命令を、サーバ５の中央処理装置５ａが演算９により作成する。
【００６９】
ＩＤ照合１２ｅは、データベース６の管理情報６ａに、ＩＤが存在するかどうか、ＩＤが存在する場合にパスワードが一致するかどうかを、データベース６に対して行った検索結果により判断する。
【００７０】
選択画面返送２３は、ＩＤ及びパスワードの照合が成功した場合に、企業２、学校３又は学生４のクライアント７に選択画面２３のファイルを送信し、クライアント７の出力装置に表示する。
【００７１】
図１０は、本発明である新卒者採用システムの処理の選択画面を示す図である。選択画面２３には、希望入力ボタン２３ａ、日程調整ボタン２３ｂ、説明会参加ボタン２３ｃ、及びインターンボタン２３ｄが配置される。
【００７２】
希望入力ボタン２３ａは、新卒者採用システム１の使用者が企業２又は学校３の場合に表示され、企業２から学校３に対する説明会参加打診１３、又は学校３から企業２に対する説明会参加打診１３をする場合に押下する。
【００７３】
日程調整ボタン２３ｂは、新卒者採用システム１の使用者が企業２又は学校３の場合に表示され、企業２から学校３に対する日程調整１４、又は学校３から企業２に対する日程調整１４をする場合に押下する。
【００７４】
説明会参加ボタン２３ｃは、新卒者採用システム１の使用者が学生４の場合に表示され、学生４から学校３に対する説明会開催要請１５又は説明会参加申込み１６をする場合に押下する。
【００７５】
インターンボタン２３ｄは、新卒者採用システム１の使用者が学生４又は企業２の場合に表示され、学生４から企業２に対するインターン申込み１７、又は企業２から学生４に対するインターン受付１８をする場合に押下する。
【００７６】
図１１は、本発明である新卒者採用システムの説明会参加打診の手段を示すフローチャートであり、図１２は、本発明である新卒者採用システムの日程調整の手段を示すフローチャートである。
【００７７】
図１１に示すように、説明会参加打診１３の手段は、希望入力選択１３ａ、入力画面返送１３ｂ、希望条件入力１３ｃ、ＤＢアクセス１３ｄ、データ検索１３ｅ、一覧画面返送１３ｆ、対象選択１３ｇ、入力画面返送１３ｈ、希望日時入力１３ｉ、ＤＢアクセス１３ｊ、データ追加１３ｋ及びメール送信１３ｌの手続きからなる。
【００７８】
希望入力選択１３ａは、企業２又は学校３のクライアント７に表示された選択画面２３において、希望入力ボタン２３ａを押下し、説明会参加打診１３を行う旨をサーバ５に通知する。
【００７９】
入力画面返送１３ｂは、サーバ５が企業２又は学校３のクライアント７に対し、サーバ５の記憶装置５ｂにある企業側入力画面２４又は学校側入力画面２５のファイルを返信し、クライアント７の出力装置に表示する。
【００８０】
希望条件入力１３ｃは、企業２の場合は、企業側入力画面２４にデータベース６から抽出したい学校３の条件を入力し、学校３の場合は、学校側入力画面２５にデータベース６から抽出したい企業２の条件を入力し、サーバ５に送る。
【００８１】
ＤＢアクセス１３ｄは、クライアント７から送られてきた企業２が希望する条件を満たす学校３のデータ、又は学校３が希望する条件を満たす企業２のデータを抽出する命令を、サーバ５が作成する。
【００８２】
データ検索１３ｅは、データベース６の企業情報６ｂ又は学校情報６ｃを検索し、該当するデータを集合として抽出する。尚、抽出したデータは、サーバ５の記憶装置５ｂに一時的に保存される。
【００８３】
一覧画面返送１３ｆは、抽出したデータをサーバ５の中央処理装置５ａが演算９により編集し、クライアント７が企業２の場合は企業側一覧画面２６、学校３の場合は学校側一覧画面２７として作成したファイルを、クライアント７に返送する。
【００８４】
対象選択１３ｇは、企業側一覧画面２６又は学校側一覧画面２７に表示された一覧の中から、企業２が学内説明会に参加したい学校３、又は学校３が学内説明会に参加して欲しい企業２を選択し、サーバ５に通知する。
【００８５】
入力画面返送１３ｈは、企業２又は学校３のクライアント７に対し、クライアント７で選択した学校３又は企業２に希望する学内説明会の日時等を設定するために、サーバ５の記憶装置５ｂにある入力画面２９のファイルを返信する。
【００８６】
希望日時入力１３ｉは、企業２又は学校３のクライアント７に表示された入力画面２９から、企業２又は学校３により学内説明会の希望日時等が入力されたら、入力されたデータをサーバ５に送る。
【００８７】
ＤＢアクセス１３ｊは、クライアント７で選択した学校３又は企業２の情報、及びクライアント７で入力した学内説明会の日時等の情報を基に、サーバ５がデータベース６を操作する命令を作成する。
【００８８】
データ追加１３ｋは、サーバ５で作成した命令に従い、データベース６の説明会日時情報６ｅにデータを追加する。尚、同一のデータが存在する場合には追加は行わない。例えば、企業２が学校３を選択してデータを追加しようとしたが、先に学校３が企業２を選択してデータを追加していた場合などである。
【００８９】
メール送信１３ｌは、クライアント７が企業２の場合は、企業２が選択した学校３に対して、クライアント７が学校３の場合は、学校３が選択した企業２に対して、メールを送信し、学内説明会を希望している旨を伝える。
【００９０】
図１２に示すように、日程調整１４の手段は、日程調整選択１４ａ、ＤＢアクセス１４ｂ、データ検索１４ｃ、一覧画面返送１４ｄ、対象選択１４ｅ、入力画面返送１４ｆ、調整日時入力１４ｇ、ＤＢアクセス１４ｈ、データ更新１４ｉ及びメール送信１４ｊの手続きからなる。
【００９１】
日程調整選択１４ａは、企業２又は学校３のクライアント７に表示された選択画面２３において、日程調整ボタン２３ｂを押下し、学内説明会について日程調整１４を行う旨をサーバ５に通知する。
【００９２】
ＤＢアクセス１４ｂは、クライアント７が企業２の場合は、企業２が参加する学内説明会を抽出する命令、クライアント７が学校３の場合は、学校３が開催する学内説明会を抽出する命令を、サーバ５が作成する。
【００９３】
データ検索１４ｃは、サーバ５で作成した命令に従い、データベース６の説明会日時情報６ｅを検索する。該当したデータは集合として抽出し、サーバ５の記憶装置５ｂに一時的に保存する。
【００９４】
一覧画面返送１４ｄは、抽出したデータをサーバ５の中央処理装置５ａが演算９により編集し、学校３又は企業２についての一覧画面２８として作成したファイルを、企業２又は学校３のクライアント７に返送する。
【００９５】
対象選択１４ｅは、一覧画面２８に表示された学校３又は企業２の一覧の中から、学内説明会の日時等を変更したいものを選択し、サーバ５に通知する。尚、クライアント７が企業２の場合、企業２から学校３に打診したもの、学校３から企業２に打診したもの、両方を対象とする。クライアント７が学校３の場合も同様である。
【００９６】
入力画面返送１４ｆは、企業２又は学校３のクライアント７に対し、クライアント７で選択した学校３又は企業２に希望する学内説明会の日時等を変更するために、サーバ５の記憶装置５ｂにある入力画面２９のファイルを返信する。
【００９７】
調整日時入力１４ｇは、企業２又は学校３のクライアント７から、入力画面２９に入力した学内説明会の日時等の変更データをサーバ５に送る。尚、学内説明会の日時等変更以外に、学内説明会を行わない旨又は途中で中止する旨も設定可能とする。
【００９８】
ＤＢアクセス１４ｈは、クライアント７で選択した学校３又は企業２の情報、及びクライアント７で入力した学内説明会の日時等の情報を基に、サーバ５がデータベース６を操作する命令を作成する。
【００９９】
データ更新１４ｉは、サーバ５で作成した命令に従い、データベース６の説明会日時情報６ｅのデータを更新する。尚、学内説明会を中止等する場合は、説明会日時情報６ｅからデータを削除する。
【０１００】
メール送信１４ｊは、クライアント７が企業２の場合は、企業２が選択した学校３に対して、クライアント７が学校３の場合は、学校３が選択した企業２に対して、メールを送信し、学内説明会の日時等を変更した旨を伝える。
【０１０１】
図１３は、本発明である新卒者採用システムの希望条件の入力画面を示す図であり、図１４は、本発明である新卒者採用システムの条件に合う学校又は企業の一覧画面を示す図であり、図１５は、本発明である新卒者採用システムの説明会の日時の入力画面を示す図である。
【０１０２】
図１３に示すように、企業側入力画面２４には、学校３の条件に関する項目２４ａ、項目２４ａに対して入力を行うための入力欄２４ｂ及び検索を開始するためのＯＫボタン２４ｃが配置される。
【０１０３】
同様に、学校側入力画面２５には、企業２の条件に関する項目２５ａ、項目２５ａに対して入力を行うための入力欄２５ｂ及び検索を開始するためのＯＫボタン２５ｃが配置される。
【０１０４】
企業側入力画面２４の項目２４ａとしては、学校種別、学部、学科などがあり、学校側入力画面２５の項目２５ａとしては、業種、職種などがある。項目２４ａ、２５ａは変更可能であり、学部の中から学科を選択するような絞り込みも可能とする。
【０１０５】
企業側入力画面２４の入力欄２４ｂ、及び学校側入力画面２５の入力欄２５ｂは、文字を直接入力する形式、一覧から選択する形式、該当するか否かを選択する形式、又は候補から選択する形式など、入力する内容に適した形式で設けることができる。
【０１０６】
企業側入力画面２４のＯＫボタン２４ｃ、又は学校側入力画面２５のＯＫボタン２５ｃを押すと、入力欄２４ｂ又は入力欄２５ｂに入力したデータがサーバ５に送られ、データベース６の学校情報６ｃ又は企業情報６ｂに対して検索が行われる。
【０１０７】
図１４に示すように、企業側一覧画面２６には、学校３を一覧表示した選択リスト２６ａが配置される。同様に、学校側一覧画面２７には、企業２を一覧表示した選択リスト２７ａが配置される。
【０１０８】
企業側一覧画面２６の選択リスト２６ａ、又は学校側一覧画面２７の選択リスト２７ａから学内説明会の日時等を設定したい学校３又は企業２を選択すると、どれを選択したかがサーバ５に伝えられる。
【０１０９】
図１５に示すように、一覧画面２８には、企業側一覧画面２６又は学校側一覧画面２７と同様に、選択リスト２８ａが配置されるが、既に日時が設定されている場合には、設定内容２８ｂも表示される。
【０１１０】
選択リスト２８ａは、クライアント７が企業２の場合は、学校３を一覧表示したものとなり、クライアント７が学校３の場合は、企業２を一覧表示したものとなる。一覧から対象を選ぶと、選択リスト２８ａからどれを選択したか、及び設定内容２８ｂの有無がサーバ５に伝えられる。
【０１１１】
入力画面２９には、説明会形式入力欄２９ａ、日時入力欄２９ｂ及びＯＫボタン２９ｃが配置される。尚、日時等が設定済みの場合は、説明会形式入力欄２９ａ及び日時入力欄２９ｂに設定内容を表示しておく。
【０１１２】
説明会形式入力欄２９ａは、授業型にするか、少人数型にするかなど、学内説明会の形式を指定する。日時入力欄２９ｂは、学内説明会を行う日時を、年月日と開始時間及び終了予定時間などにより指定する。
【０１１３】
説明会形式入力欄２９ａ及び日時入力欄２９ｂは、文字を直接入力する形式、一覧から選択する形式、該当するか否かを選択する形式、又は候補から選択する形式など、入力する内容に適した形式で設けることができる。
【０１１４】
ＯＫボタン２９ｃを押すと、説明会形式入力欄２９ａ及び日時入力欄２９ｂに入力したデータがサーバ５に送られ、データベース６の説明会日時データ６ｅにデータが更新される。尚、入力内容に不備がある場合には、警告して再入力を求める。
【０１１５】
図１６は、本発明である新卒者採用システムの説明会開催要請の手段を示すフローチャートであり、図１７は、本発明である新卒者採用システムの説明会参加申込みの手段を示すフローチャートである。
【０１１６】
図１６に示すように、説明会開催要請１５の手段は、説明会参加選択１５ａ、入力画面返送１５ｂ、希望条件入力１５ｃ、ＤＢアクセス１５ｄ、データ検索１５ｅ、一覧画面返送１５ｆ、対象選択１５ｇ、確認画面返送１５ｈ、説明会要請１５ｉ及びメール送信１５ｊの手続きからなる。
【０１１７】
説明会参加選択１５ａは、まだ学内説明会が予定されていない場合に、学生４のクライアント７に表示された選択画面２３において、説明会参加ボタン２３ｃを押下し、説明会開催要請１５を行う旨をサーバ５に通知する。
【０１１８】
入力画面返送１５ｂは、サーバ５が学生４のクライアント７に対し、サーバ５の記憶装置５ｂにある学校側入力画面２５のファイルを返信し、学生４のクライアント７の出力装置に表示する。
【０１１９】
希望条件入力１５ｃは、学校側入力画面２５にデータベース６から抽出したい企業２の条件を入力し、サーバ５に送る。尚、企業２が学生４の学校３で学内説明会を行う予定があるかないかも条件とすることができる。
【０１２０】
ＤＢアクセス１５ｄは、クライアント７から送られてきた学生４が希望する条件を満たす企業２のデータを抽出し、企業２が学生４の学校３で学内説明会を行うかどうかを確認する命令を、サーバ５が作成する。
【０１２１】
データ検索１５ｅは、データベース６の企業情報６ｂ及び説明会日時情報６ｅを検索し、該当するデータを集合として抽出する。尚、抽出したデータは、サーバ５の記憶装置５ｂに一時的に保存される。
【０１２２】
一覧画面返送１５ｆは、抽出したデータをサーバ５の中央処理装置５ａが演算９により編集し、企業２及び学内説明会に関する一覧画面２８として作成したファイルを、学生４のクライアント７に返送する。
【０１２３】
対象選択１５ｇは、一覧画面２８において、学生４が学校３で学内説明会が予定されていない企業２を選択した場合に、選んだ企業２について学内説明会が予定されていない旨をサーバ５に通知する。
【０１２４】
確認画面返送１５ｈは、学生４のクライアント７に対し、サーバ５の記憶装置５ｂにある確認画面３０のファイルを返信し、学校３に企業２への説明会参加打診１３を要請するか否かの確認を求める。
【０１２５】
説明会要請１５ｉは、学生４がクライアント７から確認画面３０に同意することにより、学生４が学校３に対し、企業２へ説明会参加打診１３をするように求めている旨を、サーバ５に通知する。
【０１２６】
メール送信１５ｊは、学校３に対し、学生４から説明会参加打診１３の要望があった旨をメールを送信することにより伝える。尚、説明会参加打診１３により学内説明会の開催が決定した場合には、学生４にメールを送信して通知する。
【０１２７】
図１７に示すように、説明会参加申込み１６の手段は、説明会参加選択１６ａ、入力画面返送１６ｂ、希望条件入力１６ｃ、ＤＢアクセス１６ｄ、データ検索１６ｅ、一覧画面返送１６ｆ、対象選択１６ｇ、確認画面返送１６ｈ、参加申込み１６ｉ、ＤＢアクセス１６ｊ、データ追加１６ｋ及び参加ＩＤ発行１６ｌの手続きからなる。
【０１２８】
説明会参加選択１６ａは、学生４のクライアント７に表示された選択画面２３において、説明会参加ボタン２３ｃを押下し、学内説明会に対し説明会参加申込み１６を行う旨をサーバ５に通知する。
【０１２９】
入力画面返送１６ｂは、サーバ５が学生４のクライアント７に対し、サーバ５の記憶装置５ｂにある学校側入力画面２５のファイルを返信し、学生４のクライアント７の出力装置に表示する。
【０１３０】
希望条件入力１６ｃは、学校側入力画面２５にデータベース６から抽出したい企業２の条件を入力し、サーバ５に送る。尚、企業２が学生４の学校３で学内説明会を行う予定があるかないかも条件とすることができる。
【０１３１】
ＤＢアクセス１６ｄは、クライアント７から送られてきた学生４が希望する条件を満たす企業２のデータを抽出し、企業２が学生４の学校３で学内説明会を行うかどうかを確認する命令を、サーバ５が作成する。
【０１３２】
データ検索１６ｅは、データベース６の企業情報６ｂ及び説明会日時情報６ｅを検索し、該当するデータを集合として抽出する。尚、抽出したデータは、サーバ５の記憶装置５ｂに一時的に保存される。
【０１３３】
一覧画面返送１６ｆは、抽出したデータをサーバ５の中央処理装置５ａが演算９により編集し、企業２及び学内説明会に関する一覧画面２８として作成したファイルを、学生４のクライアント７に返送する。
【０１３４】
対象選択１６ｇは、一覧画面２８において、学生４が学校３で学内説明会が予定されている企業２を選択した場合に、選んだ企業２について学内説明会が予定されている旨をサーバ５に通知する。
【０１３５】
確認画面返送１６ｈは、学生４のクライアント７に対し、サーバ５の記憶装置５ｂにある確認画面３１のファイルを返信し、希望の企業２の学内説明会に参加するか否かの確認を求める。
【０１３６】
参加申込み１６ｉは、学生４がクライアント７から確認画面３１に同意することにより、学生４が学校３で開催される予定の企業２の学内説明会に参加したい旨を、サーバ５に通知する。
【０１３７】
ＤＢアクセス１６ｊは、学生４のクライアント７からあった学内説明会への参加申込みに対して、サーバ５がデータベース６に学内説明会の参加者としてデータを追加する命令を作成する。
【０１３８】
データ追加１６ｋは、サーバ５で作成された命令に従い、データベース６の説明会参加情報６ｆに、説明会日時情報６ｅと関連付けしたデータを追加する。尚、説明会参加情報６ｆには、学生４に通知する参加ＩＤも設定する。
【０１３９】
参加ＩＤ発行１６ｌは、学生４に対し、学内説明会の参加者である旨を示す参加ＩＤをメールを送信するなどして通知する。尚、参加ＩＤは、学生４ごとに個別の番号を振っても良いし、学内説明会ごとの番号を振っても良い。
【０１４０】
図１８は、本発明である新卒者採用システムの説明会の要請又は参加の確認画面を示す図である。確認画面３０には、確認事項を示すメッセージとＯＫボタン３０ａが配置される。確認画面３１には、確認事項を示すメッセージと申込ボタン３１ａが配置される。
【０１４１】
確認画面３０のＯＫボタン３０ａ又は確認画面３１の申込ボタン３１ａを押下すると、確認画面３０又は確認画面３１に表示されている確認事項に同意した旨を、サーバ５に通知する。
【０１４２】
図１９は、本発明である新卒者採用システムのインターン申込みの手段を示すフローチャートであり、図２０は、本発明である新卒者採用システムのインターン受付の手段を示すフローチャートである。
【０１４３】
図１９に示すように、インターン申込み１７の手段は、インターン選択１７ａ、入力画面返送１７ｂ、参加ＩＤ入力１７ｃ、ＤＢアクセス１７ｄ、データ検索１７ｅ、確認画面返送１７ｆ、参加申込み１７ｇ、ＤＢアクセス１７ｈ、データ追加１７ｉ及びメール送信１７ｊの手続きからなる。
【０１４４】
インターン選択１７ａは、学生４のクライアント７に表示された選択画面２３において、インターンボタン２３ｄを押下し、企業２に対しインターン申込み１７を行う旨をサーバ５に通知する。
【０１４５】
入力画面返送１７ｂは、サーバ５が学生４のクライアント７に対し、サーバ５の記憶装置５ｂにある申込画面３２のファイルを返信し、学生４のクライアント７の出力装置に表示する。
【０１４６】
参加ＩＤ入力１７ｃは、学生４が学内説明会の説明会参加申込み１６を行った際に発行された参加ＩＤを、学生４のクライアント７に表示された申込画面３２から入力し、サーバ５に送る。
【０１４７】
ＤＢアクセス１７ｄは、学生４が入力した参加ＩＤと、データベース６の説明会参加情報６ｆにおける学生４のデータに設定されている参加ＩＤとを照合するための命令を、サーバ５が作成する。
【０１４８】
データ検索１７ｅは、サーバ５で作成された命令に従い、説明会日時情報６ｅ及び説明会参加情報６ｆを検索し、学生４の参加ＩＤが、どの企業２がどの学校３で行った学内説明会であるかを調べる。
【０１４９】
確認画面返送１７ｆは、サーバ５が学生４のクライアント７に対し、サーバ５の記憶装置５ｂにある確認画面３３のファイルを返信し、学生４のクライアント７の出力装置に表示する。
【０１５０】
参加申込み１７ｇは、学生４がクライアント７から確認画面３３に同意することにより、学生４が学内説明会に参加した企業２のインターンシップに参加したい旨を、サーバ５に通知する。
【０１５１】
ＤＢアクセス１７ｈは、学生４のクライアント７からあったインターンシップへの参加申込みに対して、サーバ５がデータベース６にインターンシップの希望者としてデータを追加する命令を作成する。
【０１５２】
データ追加１７ｉは、サーバ５で作成された命令に従い、データベース６のインターン情報６ｇにデータを追加する。尚、既にインターン申込み１７がされている場合には、追加は行わない。
【０１５３】
メール送信１７ｊは、サーバ５が企業２に対し、学生４がインターンシップを希望している旨のメールを送信する。サーバ５から送信されることにより、企業２は学内説明会に参加した学生４であることを把握することができる。
【０１５４】
図２０に示すように、インターン受付１８の手段は、インターン選択１８ａ、ＤＢアクセス１８ｂ、データ検索１８ｃ、一覧画面返送１８ｄ、対象選択１８ｅ、入力画面返送１８ｆ、期間入力１８ｇ、ＤＢアクセス１８ｈ、データ更新１８ｉ及びメール送信１８ｊの手続きからなる。
【０１５５】
インターン選択１８ａは、企業２のクライアント７に表示された選択画面２３において、インターンボタン２３ｄを押下し、学生４からのインターン申込み１７に対して、インターン受付１８を行う旨をサーバ５に通知する。
【０１５６】
ＤＢアクセス１８ｂは、インターン受付１８を行おうとしている企業２に対する全てのインターンシップの申込みを、データベース６から抽出する命令を、サーバ５の中央処理装置５ａが作成する。
【０１５７】
データ検索１８ｃは、サーバ５で作成された命令に従い、データベース６のインターン情報６ｇを検索する。インターンシップの申込みのデータを集合として抽出し、サーバ５の記憶装置５ｂに一時的に保存する。
【０１５８】
一覧画面返送１８ｄは、抽出したデータをサーバ５の中央処理装置５ａが演算９により編集し、学生４についての一覧画面３４として作成したファイルを、企業２のクライアント７に返送する。
【０１５９】
対象選択１８ｅは、クライアント７の一覧画面３４に表示されたインターンシップを申し込んだ学生４の一覧の中から、企業２がインターンシップに参加してもらいたい学生４を選択し、サーバ５に通知する。
【０１６０】
入力画面返送１８ｆは、サーバ５が企業２のクライアント７に対し、サーバ５の記憶装置５ｂにある確認画面３５のファイルを返信し、企業２のクライアント７の出力装置に表示する。
【０１６１】
期間入力１８ｇは、企業２のクライアント７から、学生４にいつからいつまでインターンシップに参加してもらうかを年月日等により指定し、サーバ５に送る。尚、インターンシップの参加を受けることができない旨も設定することができる。
【０１６２】
ＤＢアクセス１８ｈは、学生４がインターン申込み１７により作成したデータに対し、企業２が希望するインターンシップの期間を付加する命令を、サーバ５の中央処理装置５ａが作成する。
【０１６３】
データ更新１８ｉは、サーバ５で作成された命令に従い、データベース６のインターン情報６ｇにクライアント７から入力された期間を付加して更新する。尚、インターンシップを受けられない場合は、データを削除する。
【０１６４】
メール送信１８ｊは、サーバ５から学生４のクライアント７に対し、企業２がインターンシップを受け付けた旨、及びインターンシップに参加してもらう期間を、メールを送信することにより伝える。
【０１６５】
図２１は、本発明である新卒者採用システムのインターンシップ参加の確認画面を示す図であり、図２２は、本発明である新卒者採用システムのインターンシップの期間の入力画面を示す図である。
【０１６６】
図２１に示すように、申込画面３２には、参加ＩＤ入力欄３２ａ及びＯＫボタン３２ｂが配置される。また、確認画面３３には、確認事項を示すメッセージと申込ボタン３３ａが配置される。
【０１６７】
申込画面３２では、学生４が参加ＩＤ入力欄３２ａに学内説明会の参加ＩＤを入力し、ＯＫボタン３２ｂを押下することにより、学生４が学内説明会の参加者あるかどうかをサーバ５が確認する。
【０１６８】
確認画面３３では、学生４がインターンシップへ参加する意思があるかを確認する。申込ボタン３３ａを押下することにより、インターンシップへ参加する意思がある旨をサーバ５に伝える。
【０１６９】
図２２に示すように、一覧画面３４には、インターンシップを希望している学生４の学校名と氏名を一覧表示した選択リスト３４ａが配置される。また、入力画面３５には、期間入力欄３５ａ及びＯＫボタン３５ｂが配置される。
【０１７０】
一覧画面３４では、選択リスト３４ａに表示されたインターンシップ希望の学生４の中から、インターン受付１８を行う対象を選択すると、どの学生４を選択したかがサーバ５に伝えられる。
【０１７１】
入力画面３５では、指定した学生４に対するインターンシップの期間を、期間入力欄３５ａに入力し、ＯＫボタン３５ｂを押下することにより、期間がサーバ５に送られる。尚、期間入力欄３５ａは、日付を入力するのに適した形式にすることができる。
【０１７２】
図２３は、本発明である新卒者採用システムのデータベースの構成を示す図である。データベース６は、管理情報６ａ、企業情報６ｂ、学校情報６ｃ、学生情報６ｄ、説明会日時情報６ｅ、説明会参加情報６ｆ及びインターン情報６ｇ等からなる。
【０１７３】
管理情報６ａは、管理コード、ＩＤ、パスワード、管理データ等の項目を有し、管理コードをキーとする。管理コードは、ユニークな値であり、ＩＤは、使用者を識別する文字列であり、パスワードは、使用者を認証するための文字列である。尚、管理データは、それ以外の項目の総称とした。
【０１７４】
企業情報６ｂは、企業コード、基本データ等の項目を有し、企業コードをキーとする。企業コードは、管理情報６ａの管理コードから作られる。尚、基本データは、企業に関する項目の総称とした。
【０１７５】
学校情報６ｃは、学校コード、基本データ等の項目を有し、学校コードをキーとする。学校コードは、管理情報６ａの管理コードから作られる。尚、基本データは、学校に関する項目の総称とした。
【０１７６】
学生情報６ｄは、学校コード、学生コード、基本データ等の項目を有し、学校コード及び学生コードをキーとする。学校コードは、学校情報６ｃの学校コードと関連付いており、学生コードは、管理情報６ａの管理コードから作られる。尚、基本データは、学生に関する項目の総称とした。
【０１７７】
説明会日時情報６ｅは、説明会コード、学校コード、企業コード、日時データ等の項目を有し、説明会コードをキーとする。説明会コードは、ユニークな値であり、学校コードは、学校情報６ｃの学校コードから作られ、企業コードは、企業情報６ｂの企業コードから作られる。尚、日時データは、日時を含む学内説明会に関する項目の総称とした。
【０１７８】
説明会参加情報６ｆは、説明会コード、学生コード、参加ＩＤ、参加データ等の項目を有し、説明会コード及び学生コードをキーとする。説明会コードは、説明会日時情報６ｅの説明会コードと関連付いており、学生コードは、学生情報６ｄの学生コードから作られる。また、参加ＩＤは、学内説明会の参加者に配布する文字列である。尚、参加データは、学内説明会の参加者に関する項目の総称とした。
【０１７９】
インターン情報６ｇは、学生コード、企業コード、期間データ等の項目を有し、学生コード及び企業コードをキーとする。学生コードは、学生情報６ｄの学生コードから作られ、企業コードは、企業情報の企業コードから作られる。尚、期間データは、期間を含むインターンシップに関する項目の総称とした。
【０１８０】
例えば、新卒者採用システム１の使用者のＩＤが分かれば、管理情報６ａの管理コードを条件として、企業情報６ｂ、学校情報６ｃ又は学生情報６ｄを検索することにより、企業、学校又は学生の基本データを抽出することができる。
【０１８１】
また、学内説明会の参加者の学生コードが分かれば、説明会参加情報６ｆの説明会コード及び学生コードを条件として、説明会日時情報６ｅ及び学生情報６ｄを検索することにより、学校コード、企業コード、日時データ及び学生の基本データを抽出することができ、更に、学校コード及び企業コードで学校情報６ｃ及び企業情報６ｂを検索して、学校及び企業の基本データも抽出することができる。
【実施例２】
【０１８２】
新卒者採用システム１ａは、インターネット８を介して企業２のクライアント７からサーバ５にアクセスし、データベース６に推薦情報６ｈを作成することにより、学校３に対して推薦募集３６を行う手段、前記推薦募集３６を受けて、インターネット８を介して学校３のクライアント７からサーバ５にアクセスし、データベース６に提供情報６ｋを作成することにより、学生４に対し推薦募集３６について情報提供３７を行う手段、前記情報提供３７を受けて、インターネット８を介して学生４のクライアント７からサーバ５にアクセスし、データベース６に推薦申込情報６ｉを作成することにより、学校３に対し推薦募集３６について自己推薦３８を行う手段、前記自己推薦３８を受け、インターネット８を介して学校３のクライアント７からサーバ５にアクセスし、データベース６の推薦申込情報６ｉを更新することにより、企業２に対し推薦募集３６について学校推薦３９を行う手段、及び前記学校推薦３９を受け、インターネット８を介して企業２のクライアント７からサーバ５にアクセスし、データベース６の推薦申込情報６ｉを更新することにより、学生４に対し推薦募集３６について結果通知４１を行う手段を有することを特徴とする。
【０１８３】
また、新卒者採用システム１ａは、インターネット８を介して企業２のクライアント７からサーバ５にアクセスし、データベース６に入社試験情報６ｊを作成することにより、学生４に対し入社試験４０を行う手段、前記入社試験４０後に、インターネット８を介して企業２のクライアント７からサーバ５にアクセスし、データベース６の入社試験情報６ｊを更新することにより、学生４に対し入社試験４０について結果通知４１を行う手段を有することを特徴とする。
【０１８４】
図２４は、本発明である新卒者採用システムの概要を示す図である。新卒者採用システム１ａは、実施例１の新卒者採用システム１に推薦募集３６、情報提供３７、自己推薦３８、学校推薦３９、入社試験４０及び結果通知４１の手段を加えたものである。
【０１８５】
新卒者採用システム１ａは、新卒者採用システム１の場合と同様に、企業２、学校３又は学生４のクライアント７が、インターネット８を介してサーバ５にアクセスし、情報をやり取りすることにより実現される。
【０１８６】
また、新卒者採用システム１ａにおける推薦募集３６、情報提供３７、自己推薦３８、学校推薦３９、入社試験４０及び結果通知４１のプログラムは、サーバ５の記憶装置５ｂに保存され、中央処理装置５ａが必要に応じて処理を実行する。
【０１８７】
推薦募集３６は、企業２が学校３に対して、何名かの推薦枠を確保し、学校３が推薦する学生４を優先的に採用する旨及び採用の基準となる条件などを、新卒者採用システム１ａを介して伝える。
【０１８８】
情報提供３７は、学校３が学生４に対して、新卒者採用システム１ａに参加している企業２の情報、企業２が学内説明会を開催する旨、又は企業２が推薦募集３６を行っている旨を、メール等により配信する。
【０１８９】
自己推薦３８は、学生４が学校３に対して、企業２の推薦募集３６に応募したい旨を申し出る。学生４に対しては、情報提供３７により企業２の希望条件などが予め提供されるので、学生４自身で判断しやすい。
【０１９０】
学校推薦３９は、学校３が企業２に対して、自己推薦３８してきた学生４を選考した上で推薦する。尚、推薦希望の学生４が企業２の募集人数より覆い場合には、学校３の側で選別する。
【０１９１】
入社試験４０は、企業２が学生４に対して、採用試験を行う旨を通知する。尚、学内説明会に参加した学生４、インターンシップに参加した学生４、又は学校推薦３９で落選した学生４などを対象とする。
【０１９２】
結果通知４１は、企業２が学生４に対して、学校推薦３９の選考結果又は入社試験４０の結果を基に採用するか否かを通知する。尚、学生４本人に通知すると共に、学校３に対しても合否を連絡する。
【０１９３】
推薦募集３６、情報提供３７、自己推薦３８、学校推薦３９、入社試験４０及び結果通知４１は、選択画面２３にボタンを追加し、該当のボタンを押下することにより処理が実行される。
【０１９４】
図２５は、本発明である新卒者採用システムの推薦募集の手段を示すフローチャートである。推薦募集３６の手段は、推薦募集選択３６ａ、ＤＢアクセス３６ｂ、学校情報検索３６ｃ、一覧画面返送３６ｄ、対象選択３６ｅ、入力画面返送３６ｆ、推薦条件入力３６ｇ、ＤＢアクセス３６ｈ、推薦情報作成３６ｉ及びメール送信３６ｊの手続きからなる。
【０１９５】
推薦募集選択３６ａは、企業２のクライアント７に表示された選択画面２３において、選択画面２３に設けた推薦募集ボタンを押下し、学校３に対して推薦募集３６を行う旨を、サーバ５に通知する。
【０１９６】
ＤＢアクセス３６ｂは、データベース６から学校３の名称等を取得する命令を、サーバ５の中央処理装置５ａが作成する。尚、全件を対象とするのではなく、学校３に条件を与えることもできる。
【０１９７】
学校情報検索３６ｃは、サーバ５で作成された命令に従い、データベース６の学校情報６ｃを検索する。学校３の名称等のデータを集合として抽出し、サーバ５の記憶装置５ｂに一時的に保存する。
【０１９８】
一覧画面返送３６ｄは、抽出したデータをサーバ５の中央処理装置５ａが演算により編集し、学校３の名称を一覧画面として作成したファイルを、企業２のクライアント７に返送する。
【０１９９】
対象選択３６ｅは、企業２のクライアント７に表示された学校３の中から、企業２が推薦枠を設けたい学校３を選択し、サーバ５に通知する。尚、一覧からの選択は、対象を選んでボタンを押下する、又は対象のリンクをクリックする等の方法で行う。
【０２００】
入力画面返送３６ｆは、サーバ５が企業２のクライアント７に対し、サーバ５の記憶装置５ｂに保存されている入力画面のファイルを返送する。尚、入力項目としては、採用職種、勤務場所、採用人数又は待遇などの推薦条件が設けられる。
【０２０１】
推薦条件入力３６ｇは、企業２のクライアント７に表示された入力項目に入力を行い、サーバ５に入力内容を送信する。送られた内容は、サーバ５の記憶装置５ｂに一時的に保存される。
【０２０２】
ＤＢアクセス３６ｈは、サーバ５の中央処理装置５ａが、サーバ５に送られた推薦条件を基に、企業２が学校３に推薦募集３６する旨をデータベース６に登録する命令を作成し、データベース６にアクセスする。
【０２０３】
推薦情報作成３６ｉは、サーバ５で作成された命令に従い、データベース６の推薦情報６ｈにデータを登録する。推薦情報６ｈが作成されることにより学校３のクライアント７において学校推薦３９の処理が可能となる。
【０２０４】
メール送信３６ｊは、サーバ５から企業２が指定した学校３のクライアント７に対し、企業２が推薦募集３６している旨のメールを送信する。メールを受信した学校３は、学生４に対し、情報提供３７を行う。
【０２０５】
図２６は、本発明である新卒者採用システムの情報提供の手段を示すフローチャートである。情報提供３７の手段は、情報提供選択３７ａ、入力画面返送３７ｂ、内容入力３７ｃ、ＤＢアクセス３７ｄ、提供情報作成３７ｅ、一定時間経過３７ｆ、ＤＢアクセス３７ｇ、データ検索３７ｈ及びメール送信３７ｉの手続きからなる。
【０２０６】
情報提供選択３７ａは、学校３のクライアント７に表示された選択画面２３において、選択画面２３に設けた情報提供ボタンを押下し、学生４に対して情報提供３７を行う旨を、サーバ５に通知する。
【０２０７】
入力画面返送３７ｂは、サーバ５が学校３のクライアント７に対し、サーバ５の記憶装置５ｂに保存されている入力画面のファイルを返送する。尚、入力画面には、文章が入力できる領域を設けておく。
【０２０８】
内容入力３７ｃは、学校３のクライアント７に表示された入力欄に推薦募集３６があった旨を入力する。また、その他に学内説明会を開催する旨など様々な連絡内容を入力することができる。入力内容はサーバ５に送られ、記憶装置５ｂに一時的に保存される。
【０２０９】
ＤＢアクセス３７ｄは、サーバ５の中央処理装置５ａが、学校３のクライアント７から送られた情報提供用のデータをデータベース６に追加する命令を作成し、データベース６にアクセスする。
【０２１０】
提供情報作成３７ｅは、サーバ５で作成された命令に従い、データベース６の提供情報６ｋにデータを蓄積する。提供情報作成３７ｅまでで一旦、一連の処理は完了し、他の処理を行うことが可能となる。
【０２１１】
一定時間経過３７ｆは、スケジュールが一定時間毎にプロセスを起動するように設定されており、その時間が経過した時である。例えば、即時、１時間毎、毎日決められた時間、新卒者採用システム１ａの起動時などと設定することができる。
【０２１２】
ＤＢアクセス３７ｇは、学生４に提供する情報をデータベース６から取得する命令を、サーバ５の中央処理装置５ａが作成する。尚、前回の情報提供３７より後にデータベース６に追加された情報を対象とする。
【０２１３】
提供情報検索３７ｈは、サーバ５で作成された命令に従い、データベース６の提供情報６ｋを検索する。学生４に提供する情報を集合として抽出し、サーバ５の記憶装置５ｂに一時的に保存する。
【０２１４】
メール送信３７ｉは、サーバ５から学生４のクライアント７に対し、情報提供３７の内容を記載したメールを送信する。学生４は、情報提供３７を受けて、自己推薦３８、説明会開催要請１５又は説明会参加申込み１６等を行う。
【０２１５】
図２７は、本発明である新卒者採用システムの自己推薦の手段を示すフローチャートである。自己推薦３８の手段は、自己推薦選択３８ａ、ＤＢアクセス３８ｂ、推薦情報検索３８ｃ、一覧画面返送３８ｄ、対象選択３８ｅ、確認画面返送３８ｆ、推薦申込３８ｇ、ＤＢアクセス３８ｈ、申込情報追加３８ｉ及びメール送信３８ｊの手続きからなる。
【０２１６】
自己推薦選択３８ａは、学生４のクライアント７に表示された選択画面２３において、選択画面２３に設けた自己推薦ボタンを押下し、学校３に対して自己推薦３８を行う旨を、サーバ５に通知する。
【０２１７】
ＤＢアクセス３８ｂは、推薦募集３６している企業２の情報をデータベース６から取得する命令を、サーバ５の中央処理装置５ａが作成する。尚、学生４が属する学校３に対してされた推薦募集３６を対象とする。
【０２１８】
推薦情報検索３８ｃは、サーバ５で作成された命令に従い、データベース６の推薦情報６ｈを検索する。学校３に対して推薦募集３６した企業２の情報を集合として抽出し、サーバ５の記憶装置５ｂに一時的に保存する。
【０２１９】
一覧画面返送３８ｄは、抽出したデータをサーバ５の中央処理装置５ａが演算により編集し、推薦募集３６している企業２の名称を一覧画面として作成したファイルを、学生４のクライアント７に返送する。
【０２２０】
対象選択３８ｅは、学生４のクライアント７に表示された企業２の中から、学生４が希望する企業２を選択し、サーバ５に通知する。対象選択３８ｅに際しては、企業２の推薦条件なども確認できるようにする。
【０２２１】
確認画面返送３８ｆは、サーバ５が学生４のクライアント７に対し、サーバ５の記憶装置５ｂに保存されている確認画面のファイルを返送する。確認画面には、推薦申込３８ｇを行うか否かの確認が記載される。
【０２２２】
推薦申込３８ｇは、学生４のクライアント７から、推薦募集３６に応募したい旨、即ち、企業２への就職を希望しており学校３から企業２に推薦して欲しい旨を、サーバ５に通知する。
【０２２３】
ＤＢアクセス３８ｈは、サーバ５の中央処理装置５ａが、学生４が企業２への推薦を希望している旨の情報をデータベース６に追加する命令を作成し、データベース６にアクセスする。
【０２２４】
申込情報追加３８ｉは、サーバ５で作成された命令に従い、データベース６の推薦申込情報６ｉにデータを蓄積する。尚、推薦申込情報６ｉは、学生４ごとのデータが１つの推薦情報６ｈにぶら下がる形で構築される。
【０２２５】
メール送信３８ｊは、サーバ５から学校３のクライアント７に対し、学生４から自己推薦３８があった旨のメールを送信する。学校３では、自己推薦３８を受けて、学生４を学校推薦３９の対象にするかどうかを選定する。
【０２２６】
図２８は、本発明である新卒者採用システムの学校推薦の手段を示すフローチャートである。学校推薦３９の手段は、学校推薦選択３９ａ、ＤＢアクセス３９ｂ、申込情報検索３９ｃ、一覧画面返送３９ｄ、対象選択３９ｅ、確認画面返送３９ｆ、推薦処理３９ｇ、ＤＢアクセス３９ｈ、申込情報更新３９ｉ及びメール送信３９ｊの手続きからなる。
【０２２７】
学校推薦選択３９ａは、学校３のクライアント７に表示された選択画面２３において、選択画面２３に設けた学校推薦ボタンを押下し、企業２に対して学校推薦３９を行う旨を、サーバ５に通知する。
【０２２８】
ＤＢアクセス３９ｂは、自己推薦３８している学生４の情報をデータベース６から取得する命令を、サーバ５の中央処理装置５ａが作成する。尚、学校３に属する学生４を対象とする。
【０２２９】
申込情報検索３９ｃは、サーバ５で作成された命令に従い、データベース６の推薦申込情報６ｉを検索する。学校３に対して自己推薦３８した学生４の情報を集合として抽出し、サーバ５の記憶装置５ｂに一時的に保存する。
【０２３０】
一覧画面返送３９ｄは、抽出したデータをサーバ５の中央処理装置５ａが演算により編集し、自己推薦３８している学生４の名称を一覧画面として作成したファイルを、学校３のクライアント７に返送する。
【０２３１】
対象選択３９ｅは、学校３のクライアント７に表示された学生４の中から、学校推薦３９したい学生４を選択し、サーバ５に通知する。対象選択３９ｅに際しては、学生４の成績など評価の材料となる情報も確認できるようにする。
【０２３２】
確認画面返送３９ｆは、サーバ５が学校３のクライアント７に対し、サーバ５の記憶装置５ｂに保存されている確認画面のファイルを返送する。確認画面には、推薦処理３９ｇを行うか否かの確認が記載される。
【０２３３】
推薦処理３９ｇは、学校３のクライアント７から、推薦募集３６している企業２に対し、自己推薦３８した学生４を推薦する旨を、確認画面に応答することによりサーバ５に通知する。
【０２３４】
ＤＢアクセス３９ｈは、サーバ５の中央処理装置５ａが、学生４の自己推薦３８が学校推薦３９の対象となった旨をデータベース６に登録する命令を作成し、データベース６にアクセスする。
【０２３５】
申込情報更新３９ｉは、サーバ５で作成された命令に従い、データベース６の推薦申込情報６ｉのデータを更新する。具体的には、推薦申込情報６ｉの項目として設けたフラグを書き換えることにより、学校推薦３９がされたか否かを判断する。
【０２３６】
メール送信３９ｊは、サーバ５から企業２のクライアント７に対し、学校３から学校推薦３９があった旨のメールを送信する。企業２では、学校推薦３９を受けて、推薦された学生４を採用するかどうかを判定する。
【０２３７】
図２９は、本発明である新卒者採用システムの入社試験の手段を示すフローチャートである。入社試験４０の手段は、入社試験選択４０ａ、ＤＢアクセス４０ｂ、学生情報検索４０ｃ、一覧画面返送４０ｄ、対象選択４０ｅ、入力画面返送４０ｆ、日程入力４０ｇ、ＤＢアクセス４０ｈ、試験情報作成４０ｉ及びメール送信４０ｊの手続きからなる。
【０２３８】
入社試験選択４０ａは、企業２のクライアント７に表示された選択画面２３において、選択画面２３に設けた入社試験ボタンを押下し、学生４に対して採用試験を行う旨を、サーバ５に通知する。
【０２３９】
ＤＢアクセス４０ｂは、採用試験を実施する学生４の情報をデータベース６から取得する命令を、サーバ５の中央処理装置５ａが作成する。推薦で落選した学生４、学内説明会に参加した学生４、又はインターンシップに参加した学生４を対象とする。
【０２４０】
学生情報検索４０ｃは、サーバ５で作成された命令に従い、データベース６の推薦申込情報６ｉ、説明会参加情報６ｆ又はインターン情報６ｇを検索する。学生４の情報を集合として抽出し、サーバ５の記憶装置５ｂに一時的に保存する。
【０２４１】
一覧画面返送４０ｄは、抽出したデータをサーバ５の中央処理装置５ａが演算により編集し、学生４の名称を一覧画面として作成したファイルを、企業２のクライアント７に返送する。
【０２４２】
対象選択４０ｅは、企業２のクライアント７に表示された学生４の中から、採用試験を実施する学生４を選択し、サーバ５に通知する。対象選択４０ｅに際しては、学生４の応募形態などの情報も確認できるようにする。
【０２４３】
入力画面返送４０ｆは、サーバ５が企業２のクライアント７に対し、サーバ５の記憶装置５ｂに保存されている入力画面のファイルを返送する。尚、入力画面には、採用試験の日程などを入力する欄が設けられる。
【０２４４】
日程入力４０ｇは、企業２のクライアント７に表示された入力画面に、学生４に対して採用試験を実施する日程などを入力する。入力内容はサーバ５に送られ、記憶装置５ｂに一時的に保存される。
【０２４５】
ＤＢアクセス４０ｈは、サーバ５の中央処理装置５ａが、企業２のクライアント７から送られた入社試験４０のデータをデータベース６に作成する命令を作成し、データベース６にアクセスする。
【０２４６】
試験情報作成４０ｉは、サーバ５で作成された命令に従い、データベース６の入社試験情報６ｊにデータを登録する。学生４のクライアント７からも入社試験情報６ｊを参照することが可能となる。
【０２４７】
メール送信４０ｊは、サーバ５から学生４のクライアント７に対し、採用試験を実施する旨のメールを送信する。尚、入社試験４０は、学生４を特定して通知するが、不特定な募集については、学校３を介して情報提供３７により通知する。
【０２４８】
図３０は、本発明である新卒者採用システムの結果通知の手段を示すフローチャートである。結果通知４１の手段は、結果通知選択４１ａ、ＤＢアクセス４１ｂ、学生情報検索４１ｃ、一覧画面返送４１ｄ、対象選択４１ｅ、入力画面返送４１ｆ、合否判定４１ｇ、ＤＢアクセス４１ｈ、データ更新４１ｉ及びメール送信４１ｊの手続きからなる。
【０２４９】
結果通知選択４１ａは、企業２のクライアント７に表示された選択画面２３において、選択画面２３に設けた結果通知ボタンを押下し、学生４に対して採用の合否を伝える旨を、サーバ５に通知する。
【０２５０】
ＤＢアクセス４１ｂは、学生４の情報をデータベース６から取得する命令を、サーバ５の中央処理装置５ａが作成する。学校推薦３９を受けた学生４又は入社試験４０を受けた学生４を対象とする。
【０２５１】
学生情報検索４１ｃは、サーバ５で作成された命令に従い、データベース６の推薦申込情報６ｉ又は入社試験情報６ｊを検索する。学生４の情報を集合として抽出し、サーバ５の記憶装置５ｂに一時的に保存する。
【０２５２】
一覧画面返送４１ｄは、抽出したデータをサーバ５の中央処理装置５ａが演算により編集し、学生４の名称を一覧画面として作成したファイルを、企業２のクライアント７に返送する。
【０２５３】
対象選択４１ｅは、企業２のクライアント７に表示された学生４の中から、採用の合否を判定する学生４を選択し、サーバ５に通知する。対象選択４１ｅに際しては、採用試験の結果などの情報も確認できるようにする。
【０２５４】
入力画面返送４１ｆは、サーバ５が企業２のクライアント７に対し、サーバ５の記憶装置５ｂに保存されている入力画面のファイルを返送する。尚、入力画面には、採用の合否などを入力する欄が設けられる。
【０２５５】
合否判定４１ｇは、企業２のクライアント７に表示された入力画面に、対象の学生４を採用するか否かを入力する。入力内容はサーバ５に送られ、記憶装置５ｂに一時的に保存される。
【０２５６】
ＤＢアクセス４１ｈは、サーバ５の中央処理装置５ａが、企業２のクライアント７から送られた合否結果のデータをデータベース６に登録する命令を作成し、データベース６にアクセスする。
【０２５７】
データ更新４１ｉは、サーバ５で作成された命令に従い、データベース６の推薦申込情報６ｉ又は入社試験情報６ｊのデータを更新する。具体的には、項目として設けたフラグを書き換えることにより、採用の合否を判断する。
【０２５８】
メール送信４１ｊは、サーバ５から学生４のクライアント７に対し、採用の合否についてメールを送信する。また、学校３へも合否を通知する。尚、学生４が複数いても学校３へは１通のメールで送るようにしても良い。
【０２５９】
図３１は、本発明である新卒者採用システムのデータベースの構成を示す図である。新卒者採用システム１ａでは、実施例１の新卒者採用システム１のデータベース６に、推薦情報６ｈ、推薦申込情報６ｉ、入社試験情報６ｊ及び提供情報６ｋが追加される。
【０２６０】
新卒者採用システム１の場合と同様に、推薦情報６ｈ、推薦申込情報６ｉ、入社試験情報６ｊ及び提供情報６ｋのデータベース６は、サーバ５の記憶装置５ｂに保存され、サーバ５の命令に従い、データの検索又は登録等が行われる。
【０２６１】
推薦情報６ｈは、推薦コード、企業コード、学校コード、推薦条件等の項目を有し、推薦コードをキーとする。推薦コードは、ユニークな値であり、企業コード及び学校コードは、企業情報６ｂ及び学校情報６ｃから作られる。推薦条件は、推薦募集３６で入力される項目である。
【０２６２】
推薦申込情報６ｉは、推薦コード、学生コード、推薦フラグ、結果フラグ等の項目を有し、推薦コード及び学生コードをキーとする。推薦コードは、推薦情報６ｈと関連付いており、学生コードは、学生情報６ｄから作られる。推薦フラグは、学校推薦３９により値が書き換わり、結果フラグは、結果通知４１により値が書き換わる。
【０２６３】
入社試験情報６ｊは、試験コード、学生コード、企業コード、日程データ、参加データ、結果フラグ等の項目を有し、試験コードをキーとする。試験コードは、ユニークな値であり、企業コードは、企業情報６ｂから作られる。日程データは、入社試験４０で入力される項目であり、学生コード及び参加データは、説明会参加情報６ｆ、インターン情報６ｇ又は推薦申込情報６ｉの内容を基に作られる。結果フラグは、結果通知４１により値が書き換わる。
【０２６４】
提供情報６ｋは、提供コード、学校コード、通知内容、登録時間等の項目を有し、提供コードをキーとする。提供コードは、ユニークな値であり、学校コードは、学校情報６ｃから作られる。通知内容は、情報提供３７で入力される項目であり、登録時間は、レコードが作成された時間が記録される。
【０２６５】
提供情報６ｋの通知内容は、企業情報６ｂが新たに登録された際、企業２が採用試験を予定している場合、説明会日時情報６ｅが作成され学内説明会が開催される場合、又は推薦情報６ｈが作成され企業２が推薦募集３６している場合に、学校３単位に登録する。
【０２６６】
以上のように、本発明である新卒者採用システムは、インターネットを利用することにより、希望する学校又は企業を検索して、学内説明会を開催するように、又は学内説明会に参加するように申し入れることが、簡単にできるようになる。
【０２６７】
また、学生は希望する企業の学内説明会への参加打診を学校に要請したり、容易に学内説明会に参加することができ、更に、インターンシップに参加することにより、就職したい企業を充分に吟味することができるようになる。
【０２６８】
更に、企業が学校に対し推薦枠を設定し、学校が学生に対しインターネットを利用して情報提供することにより、学生は推薦に応募しやすくなり、企業への学校推薦も容易に行うことができるようになる。
【図面の簡単な説明】
【０２６９】
【図１】本発明である新卒者採用システムの全体の概要を示す図である。
【図２】本発明である新卒者採用システムのコンピュータの構成を示す図である。
【図３】本発明である新卒者採用システムのサーバの内部構造を示す図である。
【図４】本発明である新卒者採用システムの登録の手段を示すフローチャートである。
【図５】本発明である新卒者採用システムの初期画面を示す図である。
【図６】本発明である新卒者採用システムの企業側の基本情報の入力画面を示す図である。
【図７】本発明である新卒者採用システムの学校側の基本情報の入力画面を示す図である。
【図８】本発明である新卒者採用システムの学生側の基本情報の入力画面を示す図である。
【図９】本発明である新卒者採用システムの認証の手段を示すフローチャートである。
【図１０】本発明である新卒者採用システムの処理の選択画面を示す図である。
【図１１】本発明である新卒者採用システムの説明会参加打診の手段を示すフローチャートである。
【図１２】本発明である新卒者採用システムの日程調整の手段を示すフローチャートである。
【図１３】本発明である新卒者採用システムの希望条件の入力画面を示す図である。
【図１４】本発明である新卒者採用システムの条件に合う学校又は企業の一覧画面を示す図である。
【図１５】本発明である新卒者採用システムの説明会の日時の入力画面を示す図である。
【図１６】本発明である新卒者採用システムの説明会開催要請の手段を示すフローチャートである。
【図１７】本発明である新卒者採用システムの説明会参加申込みの手段を示すフローチャートである。
【図１８】本発明である新卒者採用システムの説明会の要請又は参加の確認画面を示す図である。
【図１９】本発明である新卒者採用システムのインターン申込みの手段を示すフローチャートである。
【図２０】本発明である新卒者採用システムのインターン受付の手段を示すフローチャートである。
【図２１】本発明である新卒者採用システムのインターンシップ参加の確認画面を示す図である。
【図２２】本発明である新卒者採用システムのインターンシップの期間の入力画面を示す図である。
【図２３】本発明である新卒者採用システムのデータベースの構成を示す図である。
【図２４】本発明である新卒者採用システムの概要を示す図である。
【図２５】本発明である新卒者採用システムの推薦募集の手段を示すフローチャートである。
【図２６】本発明である新卒者採用システムの情報提供の手段を示すフローチャートである。
【図２７】本発明である新卒者採用システムの自己推薦の手段を示すフローチャートである。
【図２８】本発明である新卒者採用システムの学校推薦の手段を示すフローチャートである。
【図２９】本発明である新卒者採用システムの入社試験の手段を示すフローチャートである。
【図３０】本発明である新卒者採用システムの結果通知の手段を示すフローチャートである。
【図３１】本発明である新卒者採用システムのデータベースの構成を示す図である。
【符号の説明】
【０２７０】
１        新卒者採用システム
１ａ      新卒者採用システム
２        企業
３        学校
４        学生
５        サーバ
５ａ      中央処理装置
５ｂ      記憶装置
５ｃ      インタフェース
６        データベース
６ａ      管理情報
６ｂ      企業情報
６ｃ      学校情報
６ｄ      学生情報
６ｅ      説明会日時情報
６ｆ      説明会参加情報
６ｇ      インターン情報
６ｈ      推薦情報
６ｉ      推薦申込情報
６ｊ      入社試験情報
６ｋ      提供情報
７        クライアント
８        インターネット
９        演算
１０        制御
１１        登録
１１ａ      システム接続
１１ｂ      初期画面返送
１１ｃ      新規登録選択
１１ｄ      入力画面返送
１１ｅ      基本情報入力
１１ｆ      ＤＢアクセス
１１ｇ      データ追加
１１ｈ      ＩＤ発行
１２        認証
１２ａ      システム接続
１２ｂ      初期画面返送
１２ｃ      ＩＤ入力
１２ｄ      ＤＢアクセス
１２ｅ      ＩＤ照合
１２ｆ      選択画面返送
１３        説明会参加打診
１３ａ      希望入力選択
１３ｂ      入力画面返送
１３ｃ      希望条件入力
１３ｄ      ＤＢアクセス
１３ｅ      データ検索
１３ｆ      一覧画面返送
１３ｇ      対象選択
１３ｈ      入力画面返送
１３ｉ      希望日時入力
１３ｊ      データアクセス
１３ｋ      データ追加
１３ｌ      メール送信
１４        日程調整
１４ａ      日程調整選択
１４ｂ      ＤＢアクセス
１４ｃ      データ検索
１４ｄ      一覧画面返送
１４ｅ      対象選択
１４ｆ      入力画面返送
１４ｇ      調整日時入力
１４ｈ      ＤＢアクセス
１４ｉ      データ更新
１４ｊ      メール送信
１５        説明会開催要請
１５ａ      説明会参加選択
１５ｂ      入力画面返送
１５ｃ      希望条件入力
１５ｄ      ＤＢアクセス
１５ｅ      データ検索
１５ｆ      一覧画面返送
１５ｇ      対象選択
１５ｈ      確認画面返送
１５ｉ      説明会要請
１５ｊ      メール送信
１６        説明会参加申込み
１６ａ      説明会参加選択
１６ｂ      入力画面返送
１６ｃ      希望条件入力
１６ｄ      ＤＢアクセス
１６ｅ      データ検索
１６ｆ      一覧画面返送
１６ｇ      対象選択
１６ｈ      確認画面返送
１６ｉ      参加申込み
１６ｊ      ＤＢアクセス
１６ｋ      データ追加
１６ｌ      参加ＩＤ発行
１７        インターン申込み
１７ａ      インターン選択
１７ｂ      入力画面返送
１７ｃ      参加ＩＤ入力
１７ｄ      ＤＢアクセス
１７ｅ      データ検索
１７ｆ      確認画面返送
１７ｇ      参加申込み
１７ｈ      ＤＢアクセス
１７ｉ      データ追加
１７ｊ      メール送信
１８        インターン受付
１８ａ      インターン選択
１８ｂ      ＤＢアクセス
１８ｃ      データ検索
１８ｄ      一覧画面返送
１８ｅ      対象選択
１８ｆ      入力画面返送
１８ｇ      期間入力
１８ｈ      ＤＢアクセス
１８ｉ      データ更新
１８ｊ      メール送信
１９        初期画面
１９ａ      新規登録領域
１９ｂ      ログイン領域
１９ｃ      企業登録ボタン
１９ｄ      学校登録ボタン
１９ｅ      学生登録ボタン
１９ｆ      ＩＤ入力欄
１９ｇ      パスワード入力欄
１９ｈ      ＯＫボタン
２０        企業側入力画面
２０ａ      項目
２０ｂ      入力欄
２０ｃ      ＯＫボタン
２１        学校側入力画面
２１ａ      項目
２１ｂ      入力欄
２１ｃ      ＯＫボタン
２２        学生側入力画面
２２ａ      項目
２２ｂ      入力欄
２２ｃ      ＯＫボタン
２３        選択画面
２３ａ      希望入力ボタン
２３ｂ      日程調整ボタン
２３ｃ      説明会参加ボタン
２３ｄ      インターンボタン
２４        企業側入力画面
２４ａ      項目
２４ｂ      入力欄
２４ｃ      ＯＫボタン
２５        学校側入力画面
２５ａ      項目
２５ｂ      入力欄
２５ｃ      ＯＫボタン
２６        企業側一覧画面
２６ａ      選択リスト
２７        学校側一覧画面
２７ａ      選択リスト
２８        一覧画面
２８ａ      選択リスト
２８ｂ      設定内容
２９        入力画面
２９ａ      説明会形式入力欄
２９ｂ      日時入力欄
２９ｃ      ＯＫボタン
３０        確認画面
３０ａ      ＯＫボタン
３１        確認画面
３１ａ      申込ボタン
３２        申込画面
３２ａ      参加ＩＤ入力欄
３２ｂ      ＯＫボタン
３３        確認画面
３３ａ      申込ボタン
３４        一覧画面
３４ａ      選択リスト
３５        入力画面
３５ａ      期間入力欄
３５ｂ      ＯＫボタン
３６        推薦募集
３６ａ      推薦募集選択
３６ｂ      ＤＢアクセス
３６ｃ      学校情報検索
３６ｄ      一覧画面返送
３６ｅ      対象選択
３６ｆ      入力画面返送
３６ｇ      推薦条件入力
３６ｈ      ＤＢアクセス
３６ｉ      推薦情報作成
３６ｊ      メール送信
３７        情報提供
３７ａ      情報提供選択
３７ｂ      入力画面返送
３７ｃ      内容入力
３７ｄ      ＤＢアクセス
３７ｅ      提供情報作成
３７ｆ      一定時間経過
３７ｇ      ＤＢアクセス
３７ｈ      提供方法検索
３７ｉ      メール送信
３８        自己推薦
３８ａ      自己推薦選択
３８ｂ      ＤＢアクセス
３８ｃ      推薦情報検索
３８ｄ      一覧画面返送
３８ｅ      対象選択
３８ｆ      確認画面返送
３８ｇ      推薦申込
３８ｈ      ＤＢアクセス
３８ｉ      申込情報追加
３８ｊ      メール送信
３９        学校推薦
３９ａ      学校推薦選択
３９ｂ      ＤＢアクセス
３９ｃ      申込情報検索
３９ｄ      一覧画面返送
３９ｅ      対象選択
３９ｆ      確認画面返送
３９ｇ      推薦処理
３９ｈ      ＤＢアクセス
３９ｉ      申込情報更新
３９ｊ      メール送信
４０        入社試験
４０ａ      入社試験選択
４０ｂ      ＤＢアクセス
４０ｃ      学生情報検索
４０ｄ      一覧画面返送
４０ｅ      対象選択
４０ｆ      入力画面返送
４０ｇ      日程入力
４０ｈ      ＤＢアクセス
４０ｉ      試験情報作成
４０ｊ      メール送信
４１        結果通知
４１ａ      結果通知選択
４１ｂ      ＤＢアクセス
４１ｃ      学生情報検索
４１ｄ      一覧画面返送
４１ｅ      対象選択
４１ｆ      入力画面返送
４１ｇ      合否判定
４１ｈ      ＤＢアクセス
４１ｉ      データ更新
４１ｊ      メール送信
【図１】
2007102594.tif 000003
【図２】
2007102594.tif 000004
【図３】
2007102594.tif 000005
【図４】
2007102594.tif 000006
【図５】
2007102594.tif 000007
【図６】
2007102594.tif 000008
【図７】
2007102594.tif 000009
【図８】
2007102594.tif 000010
【図９】
2007102594.tif 000011
【図１０】
2007102594.tif 000012
【図１１】
2007102594.tif 000013
【図１２】
2007102594.tif 000014
【図１３】
2007102594.tif 000015
【図１４】
2007102594.tif 000016
【図１５】
2007102594.tif 000017
【図１６】
2007102594.tif 000018
【図１７】
2007102594.tif 000019
【図１８】
2007102594.tif 000020
【図１９】
2007102594.tif 000021
【図２０】
2007102594.tif 000022
【図２１】
2007102594.tif 000023
【図２２】
2007102594.tif 000024
【図２３】
2007102594.tif 000025
【図２４】
2007102594.tif 000026
【図２５】
2007102594.tif 000027
【図２６】
2007102594.tif 000028
【図２７】
2007102594.tif 000029
【図２８】
2007102594.tif 000030
【図２９】
2007102594.tif 000031
【図３０】
2007102594.tif 000032
【図３１】
2007102594.tif 000033
【手続補正書】
【提出日】平成17年12月15日(2005.12.15)
【手続補正１】
【補正対象書類名】特許請求の範囲
【補正対象項目名】全文
【補正方法】変更
【補正の内容】
【特許請求の範囲】
【請求項１】
管理情報、企業情報、学校情報、学生情報、説明会日時情報、説明会参加情報、インターン情報、推薦情報、推薦申込情報、入社試験情報及び提供情報を蓄積するデータベースを記憶装置に有し、中央処理装置が前記記憶装置からデータを読み込み、登録、認証、説明会開催要請、説明会参加打診、日程調整、説明会参加申込み、インターン申込み、インターン受付、推薦募集、情報提供、自己推薦、学校推薦、入社試験及び結果通知の各手段を実行して前記記憶装置にデータを保存するサーバと、インターネットを介して前記サーバに接続し、データのやり取りを行う企業、学校及び学生のクライアントとからなり、
企業、学校又は学生のクライアントから入力された基本データを、サーバが企業情報、学校情報又は学生情報に追加し、管理情報にＩＤ及びパスワードを設定すると共に、当該企業、学校又は学生のクライアントにＩＤ及びパスワードを通知する登録の手段、
前記登録の手段で登録された企業、学校又は学生のクライアントから入力されたＩＤ及びパスワードを、サーバが管理情報に設定されているＩＤ及びパスワードと照合する認証の手段、
前記認証の手段で認証された学生のクライアントから入力された条件を満たす企業を、サーバが企業情報から抽出し、学内説明会の開催について、当該企業への打診を、学校のクライアントに要請する説明会開催要請の手段、
前記認証の手段で認証された企業又は学校のクライアントから入力された条件を満たす学校又は企業を、サーバが学校情報又は企業情報から抽出し、認証された企業又は学校のクライアントから入力された学内説明会の日時データを、サーバが説明会日時情報に追加すると共に、抽出した学校又は企業のクライアントに学内説明会の開催を打診する説明会参加打診の手段、
前記説明会参加打診の手段で打診を受けた学校又は企業のクライアントから選択された学内説明会を、サーバが説明会日時情報から抽出し、打診を受けた学校又は企業のクライアントから入力された学内説明会の日時データを、サーバが説明会日時情報に更新すると共に、打診した企業又は学校のクライアントに日程の変更を伝える日程調整の手段、
前記認証の手段で認証された企業のクライアントから入力された条件を満たす学校を、サーバが学校情報から抽出し、当該企業のクライアントから入力された推薦条件を、サーバが推薦情報に追加すると共に、当該学校のクライアントに対して推薦を募集する推薦募集の手段、
前記説明会参加打診の手段若しくは前記日程調整の手段により学内説明会を開催する学校、又は前記推薦募集の手段を受けた学校のクライアントから入力された通知内容を、サーバが提供情報に追加し、当該学校の学生のクライアントに一定時間毎に蓄積された通知内容を配信する情報提供の手段、
前記情報提供の手段で学内説明会開催の配信を受けた学生のクライアントから選択された学内説明会を、サーバが説明会日時情報から抽出し、当該学生のクライアントから入力された参加申込みを、サーバが説明会参加情報に追加すると共に、当該学生のクライアントに受け付けた旨を通知する説明会参加申込みの手段、
前記情報提供の手段で推薦募集の配信を受けた学生のクライアントから選択された推薦を、サーバが推薦情報から抽出し、当該学生のクライアントから入力された応募申込みを、サーバが推薦申込情報に追加すると共に、配信した学校のクライアントに通知する自己推薦の手段、
前記自己推薦の手段を受けた学校のクライアントから選択された学生を、サーバが推薦申込情報から抽出し、当該学校のクライアントから入力された推薦する旨を、サーバが推薦申込情報に更新すると共に、推薦を募集した企業のクライアントに当該学生を推薦する学校推薦の手段、
前記説明会参加申込みの手段を行った学生のクライアントから選択された企業を、サーバが説明会参加情報から抽出し、当該学生のクライアントから入力されたインターンシップの申込みを、サーバがインターン情報に追加すると共に、当該企業のクライアントに通知するインターン申込みの手段、
前記インターン申込みの手段を受けた企業のクライアントから選択された学生を、サーバがインターン情報から抽出し、当該企業のクライアントから入力された期間データを、サーバがインターン情報に更新すると共に、当該学生のクライアントに通知するインターン受付の手段、
前記学校推薦の手段、説明会参加申込みの手段又はインターン申込みの手段を受けた企業から選択された学生を、サーバが推薦申込情報、説明会参加情報又はインターン情報から抽出し、当該企業のクライアントから入力された日程データを、サーバが入社試験情報に追加すると共に、当該学生のクライアントに通知する入社試験の手段、
並びに前記学校推薦の手段を受けた企業又は入社試験の手段を行った企業のクライアントから選択された学生を、サーバが推薦申込情報又は入社試験情報から抽出し、当該企業のクライアントから入力された合否を、サーバが推薦申込情報又は入社試験情報に更新すると共に、当該学生のクライアントに通知する結果通知の手段を
備えることを特徴とする新卒者採用システム。
【手続補正２】
【補正対象書類名】明細書
【補正対象項目名】０００６
【補正方法】変更
【補正の内容】
【０００６】
本発明は、上記の課題を解決するために、管理情報６ａ、企業情報６ｂ、学校情報６ｃ、学生情報６ｄ、説明会日時情報６ｅ、説明会参加情報６ｆ、インターン情報６ｇ、推薦情報６ｈ、推薦申込情報６ｉ、入社試験情報６ｊ及び提供情報６ｋを蓄積するデータベース６を記憶装置５ｂに有し、中央処理装置５ａが前記記憶装置５ｂからデータを読み込み、登録１１、認証１２、説明会開催要請１５、説明会参加打診１３、日程調整１４、説明会参加申込み１６、インターン申込み１７、インターン受付１８、推薦募集３６、情報提供３７、自己推薦３８、学校推薦３９、入社試験４０及び結果通知４１の各手段を実行して前記記憶装置５ｂにデータを保存するサーバ５と、インターネット８を介して前記サーバ５に接続し、データのやり取りを行う企業２、学校３及び学生４のクライアント７とからなり、企業２、学校３又は学生４のクライアント７から入力された基本データを、サーバ５が企業情報６ｂ、学校情報６ｃ又は学生情報６ｄに追加し、管理情報６ａにＩＤ及びパスワードを設定すると共に、当該企業２、学校３又は学生４のクライアント７にＩＤ及びパスワードを通知する登録１１の手段、前記登録１１の手段で登録された企業２、学校３又は学生４のクライアント７から入力されたＩＤ及びパスワードを、サーバ５が管理情報６ａに設定されているＩＤ及びパスワードと照合する認証１２の手段、前記認証１２の手段で認証された学生４のクライアント７から入力された条件を満たす企業２を、サーバ５が企業情報６ｂから抽出し、学内説明会の開催について、当該企業２への打診を、学校３のクライアント７に要請する説明会開催要請１５の手段、前記認証１２の手段で認証された企業２又は学校３のクライアント７から入力された条件を満たす学校３又は企業２を、サーバ５が学校情報６ｃ又は企業情報６ｂから抽出し、認証された企業２又は学校３のクライアント７から入力された学内説明会の日時データを、サーバ５が説明会日時情報６ｅに追加すると共に、抽出した学校３又は企業２のクライアント７に学内説明会の開催を打診する説明会参加打診１３の手段、前記説明会参加打診１３の手段で打診を受けた学校３又は企業２のクライアント７から選択された学内説明会を、サーバ５が説明会日時情報６ｅから抽出し、打診を受けた学校３又は企業２のクライアント７から入力された学内説明会の日時データを、サーバ５が説明会日時情報６ｅに更新すると共に、打診した企業２又は学校３のクライアント７に日程の変更を伝える日程調整１４の手段、前記認証の手段で認証された企業２のクライアント７から入力された条件を満たす学校３を、サーバ５が学校情報６ｃから抽出し、当該企業２のクライアント７から入力された推薦条件を、サーバ５が推薦情報６ｈに追加すると共に、当該学校３のクライアント７に対して推薦を募集する推薦募集３６の手段、前記説明会参加打診１３の手段若しくは前記日程調整１４の手段により学内説明会を開催する学校３、又は前記推薦募集３６の手段を受けた学校３のクライアント７から入力された通知内容を、サーバ５が提供情報６ｋに追加し、当該学校３の学生４のクライアント７に一定時間毎に蓄積された通知内容を配信する情報提供３７の手段、前記情報提供３７の手段で学内説明会開催の配信を受けた学生４のクライアント７から選択された学内説明会を、サーバ５が説明会日時情報６ｅから抽出し、当該学生４のクライアント７から入力された参加申込みを、サーバ５が説明会参加情報６ｆに追加すると共に、当該学生４のクライアント７に受け付けた旨を通知する説明会参加申込み１６の手段、前記情報提供３７の手段で推薦募集３６の配信を受けた学生４のクライアント７から選択された推薦を、サーバ５が推薦情報６ｈから抽出し、当該学生４のクライアント７から入力された応募申込みを、サーバ５が推薦申込情報６ｉに追加すると共に、配信した学校３のクライアント７に通知する自己推薦３８の手段、前記自己推薦３８の手段を受けた学校３のクライアント７から選択された学生４を、サーバ５が推薦申込情報６ｉから抽出し、当該学校３のクライアント７から入力された推薦する旨を、サーバ５が推薦申込情報６ｉに更新すると共に、推薦を募集した企業２のクライアント７に当該学生４を推薦する学校推薦３９の手段、前記説明会参加申込み１６の手段を行った学生４のクライアント７から選択された企業２を、サーバ５が説明会参加情報６ｆから抽出し、当該学生４のクライアント７から入力されたインターンシップの申込みを、サーバ５がインターン情報６ｇに追加すると共に、当該企業２のクライアント７に通知するインターン申込み１７の手段、前記インターン申込み１７の手段を受けた企業２のクライアント７から選択された学生４を、サーバ５がインターン情報６ｇから抽出し、当該企業２のクライアント７から入力された期間データを、サーバ５がインターン情報６ｇに更新すると共に、当該学生４のクライアント７に通知するインターン受付１８の手段、前記学校推薦３９の手段、説明会参加申込み１６の手段又はインターン申込み１７の手段を受けた企業２から選択された学生４を、サーバ５が推薦申込情報６ｉ、説明会参加情報６ｆ又はインターン情報６ｇから抽出し、当該企業２のクライアント７から入力された日程データを、サーバ５が入社試験情報６ｊに追加すると共に、当該学生４のクライアント７に通知する入社試験４０の手段、並びに前記学校推薦３９の手段を受けた企業２又は入社試験４０の手段を行った企業２のクライアント７から選択された学生４を、サーバ５が推薦申込情報６ｉ又は入社試験情報６ｊから抽出し、当該企業２のクライアント７から入力された合否を、サーバ５が推薦申込情報６ｉ又は入社試験情報６ｊに更新すると共に、当該学生４のクライアント７に通知する結果通知４１の手段を備えることを特徴とする新卒者採用システム１の構成とした。
【手続補正書】
【提出日】平成18年8月2日(2006.8.2)
【手続補正１】
【補正対象書類名】特許請求の範囲
【補正対象項目名】全文
【補正方法】変更
【補正の内容】
【特許請求の範囲】
【請求項１】
中央処理装置５ａが各手段を制御し、記憶装置５ｂのデータベース６を操作するサーバ５と、前記サーバ５とインターネット８を介してデータのやり取りを行う企業２、学校３又は学生４のクライアント７とからなり、
サーバ５が企業２、学校３又は学生４のクライアント７から基本データを受信したら、データベース６の企業情報６ｂ、学校情報６ｃ又は学生情報６ｄに基本データを追加し、ＩＤ及びパスワードを生成してデータベース６の管理情報６ａに設定すると共に、当該企業２、学校３又は学生４のクライアント７に前記ＩＤ及びパスワードをメールで送信する登録１１の手段、
サーバ５が前記登録１１された企業２、学校３又は学生４のクライアント７からＩＤ及びパスワードを受信したら、データベース６の管理情報６ａに設定されているＩＤを照合してパスワードが一致するか判断する認証１２の手段、
サーバ５が前記認証１２された企業２又は学校３のクライアント７から学内説明会の開催を打診する学校３又は企業２の条件を受信したら、データベース６の学校情報６ｃ又は企業情報６ｂから前記条件を満たす学校３又は企業２のデータを集合として抽出し、一覧として編集したものを前記クライアント７に返送した後、前記クライアント７から選択した学校３又は企業２及び日時データを受信したら、データベース６の説明会日時情報６ｅに日時データを追加すると共に、選択した学校３又は企業２のクライアント７に日時データをメールで送信する説明会参加打診１３の手段、
サーバ５が前記認証１２された学校３又は企業２のクライアント７から学校３又は企業２の学内説明会の日程を変更する旨を受信したら、データベース６の説明会日時情報６ｅから説明会参加打診１３をした企業２又は学校３のデータ及び日時データを集合として抽出し、一覧として編集したものを前記クライアント７に返送した後、前記クライアント７から選択した企業２又は学校３及び変更後の日時データを受信したら、データベース６の説明会日時情報６ｅを更新すると共に、選択した企業２又は学校３のクライアント７に変更後の日時データをメールで送信する日程調整１４の手段、
サーバ５が前記認証１２された学生４のクライアント７から学内説明会の開催を希望する企業２の条件を受信したら、データベース６の企業情報６ｂから前記条件を満たす企業２のデータを集合として抽出し、一覧として編集したものを前記クライアント７に返送した後、前記クライアント７から選択した企業２を受信したら、選択した企業２と説明会参加打診１３をするように要請する旨のメールを作成し、学校３のクライアント７に前記メールを送信する説明会開催要請１５の手段、
サーバ５が前記認証１２された学生４のクライアント７から学内説明会への参加を希望する企業２の条件を受信したら、データベース６の説明会日時情報６ｅから前記条件を満たす企業２のデータを集合として抽出し、一覧として編集したものを前記クライアント７に返送した後、前記クライアント７から選択した企業２を受信したら、データベース６の説明会参加情報６ｆに参加ＩＤを設定すると共に、前記クライアント７に参加ＩＤをメールで送信する説明会参加申込み１６の手段、
サーバ５が前記認証１２された学生４のクライアント７から参加ＩＤを受信したら、データベース６の説明会参加情報６ｆに設定されている参加ＩＤを照合して説明会日時情報６ｅから企業２のデータを抽出し、編集したものを前記クライアント７に返送した後、前記クライアント７からインターンシップの申込みを受信したら、データベース６のインターン情報６ｇに申込みを追加すると共に、当該企業２のクライアント７に申込みをメールで送信するインターン申込み１７の手段、
サーバ５が前記認証１２された企業２のクライアント７から企業２のインターンシップを受け付ける旨を受信したら、データベース６のインターン情報６ｇからインターン申込み１７をした学生４のデータを集合として抽出し、一覧として編集したものを前記クライアント７に返送した後、前記クライアント７から選択した学生４及び期間データを受信したら、データベースのインターン情報６ｇに期間データを追加すると共に、選択した学生４のクライアント７に期間データをメールで送信するインターン受付１８の手段、
サーバ５が前記認証１２された企業２のクライアント７から推薦を募集する旨を受信したら、データベース６の学校情報６ｃから学校３のデータを集合として抽出し、一覧として編集したものを前記クライアント７に返送した後、前記クライアント７から選択した学校３及び推薦条件を受信したら、データベース６の推薦情報６ｈに推薦条件を追加すると共に、選択した学校３のクライアント７に推薦条件をメールで送信する推薦募集３６の手段、
サーバ５が前記認証１２された学校３のクライアント７から説明会参加打診１３又は推薦募集３６の内容を編集したものを受信したら、データベース６の提供情報６ｋに前記内容を蓄積し、一定時間毎に学生４のクライアント７に前記内容をメールで配信する情報提供３７の手段、
サーバ５が前記認証１２された学生４のクライアント７から情報提供３７した学校３に推薦を希望する旨を受信したら、データベース６の推薦情報６ｈから推薦募集３６をした企業２のデータを集合として抽出し、一覧として編集したものを前記クライアント７に返送した後、前記クライアント７から選択した企業２を受信したら、データベース６の推薦申込情報６ｉに推薦申込みを追加すると共に、当該学校３のクライアント７に推薦申込みをメールで送信する自己推薦３８の手段、
サーバ５が前記認証１２された学校３のクライアント７から推薦を行う旨を受信したら、データベース６の推薦申込情報６ｉから自己推薦３８をした学生４のデータを集合として抽出し、一覧として編集したものを前記クライアント７に返送した後、前記クライアント７から選択した学生４を受信したら、データベース６の推薦申込情報６ｉを更新すると共に、選択した学生４を推薦する旨のメールを作成し、推薦募集３６した企業２のクライアント７に前記メールを送信する学校推薦３９の手段、
サーバ５が前記認証１２された企業２のクライアント７から入社試験を通知する旨を受信したら、データベース６の推薦申込情報６ｉ、説明会参加情報６ｆ又はインターン情報６ｇから学校推薦３９に落選した学生４、説明会参加申込み１６をした学生４又はインターン申込み１７をした学生４のデータを集合として抽出し、一覧として編集したものを前記クライアント７に返送した後、前記クライアント７で選択した学生４及び日程データを受信したら、データベースの入社試験情報６ｊに日程データを追加すると共に、当該学生４のクライアント７に日程データをメールで送信する入社試験４０の手段、
並びに、サーバ５が前記認証１２された企業２のクライアント７から結果を通知する旨を受信したら、データベース６の推薦申込情報６ｉ又は入社試験情報６ｊから学校推薦３９された学生４又は入社試験４０を受けた学生４のデータを集合として抽出し、一覧として編集したものを前記クライアント７に返送した後、前記クライアント７から選択した学生４及び合否を受信したら、データベース６の推薦申込情報６ｉ又は入社試験情報６ｊを更新すると共に、当該学生４のクライアント７に合否をメールで送信する結果通知４１の手段を備えることを特徴とする新卒者採用システム１。
【手続補正２】
【補正対象書類名】明細書
【補正対象項目名】０００６
【補正方法】変更
【補正の内容】
【０００６】
本発明は、上記の課題を解決するために、中央処理装置５ａが各手段を制御し、記憶装置５ｂのデータベース６を操作するサーバ５と、前記サーバ５とインターネット８を介してデータのやり取りを行う企業２、学校３又は学生４のクライアント７とからなり、サーバ５が企業２、学校３又は学生４のクライアント７から基本データを受信したら、データベース６の企業情報６ｂ、学校情報６ｃ又は学生情報６ｄに基本データを追加し、ＩＤ及びパスワードを生成してデータベース６の管理情報６ａに設定すると共に、当該企業２、学校３又は学生４のクライアント７に前記ＩＤ及びパスワードをメールで送信する登録１１の手段、サーバ５が前記登録１１された企業２、学校３又は学生４のクライアント７からＩＤ及びパスワードを受信したら、データベース６の管理情報６ａに設定されているＩＤを照合してパスワードが一致するか判断する認証１２の手段、サーバ５が前記認証１２された企業２又は学校３のクライアント７から学内説明会の開催を打診する学校３又は企業２の条件を受信したら、データベース６の学校情報６ｃ又は企業情報６ｂから前記条件を満たす学校３又は企業２のデータを集合として抽出し、一覧として編集したものを前記クライアント７に返送した後、前記クライアント７から選択した学校３又は企業２及び日時データを受信したら、データベース６の説明会日時情報６ｅに日時データを追加すると共に、選択した学校３又は企業２のクライアント７に日時データをメールで送信する説明会参加打診１３の手段、サーバ５が前記認証１２された学校３又は企業２のクライアント７から学校３又は企業２の学内説明会の日程を変更する旨を受信したら、データベース６の説明会日時情報６ｅから説明会参加打診１３をした企業２又は学校３のデータ及び日時データを集合として抽出し、一覧として編集したものを前記クライアント７に返送した後、前記クライアント７から選択した企業２又は学校３及び変更後の日時データを受信したら、データベース６の説明会日時情報６ｅを更新すると共に、選択した企業２又は学校３のクライアント７に変更後の日時データをメールで送信する日程調整１４の手段、サーバ５が前記認証１２された学生４のクライアント７から学内説明会の開催を希望する企業２の条件を受信したら、データベース６の企業情報６ｂから前記条件を満たす企業２のデータを集合として抽出し、一覧として編集したものを前記クライアント７に返送した後、前記クライアント７から選択した企業２を受信したら、選択した企業２と説明会参加打診１３をするように要請する旨のメールを作成し、学校３のクライアント７に前記メールを送信する説明会開催要請１５の手段、サーバ５が前記認証１２された学生４のクライアント７から学内説明会への参加を希望する企業２の条件を受信したら、データベース６の説明会日時情報６ｅから前記条件を満たす企業２のデータを集合として抽出し、一覧として編集したものを前記クライアント７に返送した後、前記クライアント７から選択した企業２を受信したら、データベース６の説明会参加情報６ｆに参加ＩＤを設定すると共に、前記クライアント７に参加ＩＤをメールで送信する説明会参加申込み１６の手段、サーバ５が前記認証１２された学生４のクライアント７から参加ＩＤを受信したら、データベース６の説明会参加情報６ｆに設定されている参加ＩＤを照合して説明会日時情報６ｅから企業２のデータを抽出し、編集したものを前記クライアント７に返送した後、前記クライアント７からインターンシップの申込みを受信したら、データベース６のインターン情報６ｇに申込みを追加すると共に、当該企業２のクライアント７に申込みをメールで送信するインターン申込み１７の手段、サーバ５が前記認証１２された企業２のクライアント７から企業２のインターンシップを受け付ける旨を受信したら、データベース６のインターン情報６ｇからインターン申込み１７をした学生４のデータを集合として抽出し、一覧として編集したものを前記クライアント７に返送した後、前記クライアント７から選択した学生４及び期間データを受信したら、データベースのインターン情報６ｇに期間データを追加すると共に、選択した学生４のクライアント７に期間データをメールで送信するインターン受付１８の手段、サーバ５が前記認証１２された企業２のクライアント７から推薦を募集する旨を受信したら、データベース６の学校情報６ｃから学校３のデータを集合として抽出し、一覧として編集したものを前記クライアント７に返送した後、前記クライアント７から選択した学校３及び推薦条件を受信したら、データベース６の推薦情報６ｈに推薦条件を追加すると共に、選択した学校３のクライアント７に推薦条件をメールで送信する推薦募集３６の手段、サーバ５が前記認証１２された学校３のクライアント７から説明会参加打診１３又は推薦募集３６の内容を編集したものを受信したら、データベース６の提供情報６ｋに前記内容を蓄積し、一定時間毎に学生４のクライアント７に前記内容をメールで配信する情報提供３７の手段、サーバ５が前記認証１２された学生４のクライアント７から情報提供３７した学校３に推薦を希望する旨を受信したら、データベース６の推薦情報６ｈから推薦募集３６をした企業２のデータを集合として抽出し、一覧として編集したものを前記クライアント７に返送した後、前記クライアント７から選択した企業２を受信したら、データベース６の推薦申込情報６ｉに推薦申込みを追加すると共に、当該学校３のクライアント７に推薦申込みをメールで送信する自己推薦３８の手段、サーバ５が前記認証１２された学校３のクライアント７から推薦を行う旨を受信したら、データベース６の推薦申込情報６ｉから自己推薦３８をした学生４のデータを集合として抽出し、一覧として編集したものを前記クライアント７に返送した後、前記クライアント７から選択した学生４を受信したら、データベース６の推薦申込情報６ｉを更新すると共に、選択した学生４を推薦する旨のメールを作成し、推薦募集３６した企業２のクライアント７に前記メールを送信する学校推薦３９の手段、サーバ５が前記認証１２された企業２のクライアント７から入社試験を通知する旨を受信したら、データベース６の推薦申込情報６ｉ、説明会参加情報６ｆ又はインターン情報６ｇから学校推薦３９に落選した学生４、説明会参加申込み１６をした学生４又はインターン申込み１７をした学生４のデータを集合として抽出し、一覧として編集したものを前記クライアント７に返送した後、前記クライアント７で選択した学生４及び日程データを受信したら、データベースの入社試験情報６ｊに日程データを追加すると共に、当該学生４のクライアント７に日程データをメールで送信する入社試験４０の手段、並びに、サーバ５が前記認証１２された企業２のクライアント７から結果を通知する旨を受信したら、データベース６の推薦申込情報６ｉ又は入社試験情報６ｊから学校推薦３９された学生４又は入社試験４０を受けた学生４のデータを集合として抽出し、一覧として編集したものを前記クライアント７に返送した後、前記クライアント７から選択した学生４及び合否を受信したら、データベース６の推薦申込情報６ｉ又は入社試験情報６ｊを更新すると共に、当該学生４のクライアント７に合否をメールで送信する結果通知４１の手段を備えることを特徴とする新卒者採用システム１の構成とした。
【手続補正書】
【提出日】平成18年10月24日(2006.10.24)
【手続補正１】
【補正対象書類名】特許請求の範囲
【補正対象項目名】全文
【補正方法】変更
【補正の内容】
【特許請求の範囲】
【請求項１】
管理コード、ＩＤ、パスワード、及び管理データを有する管理情報６ａ、
前記管理情報６ａの管理コードから作られた企業コード、及び基本データを有する企業情報６ｂ、
前記管理情報６ａの管理コードから作られた学校コード、及び基本データを有する学校情報６ｃ、
前記学校情報６ｃの学校コードと関連付いた学校コード、前記管理情報６ａの管理コードから作られた学生コード、及び基本データを有する学生情報６ｄ、
説明会コード、前記学校情報６ｃの学校コードから作られた学校コード、前記企業情報６ｂの企業コードから作られた企業コード、及び日時データを有する説明会日時情報６ｅ、
前記説明会日時情報６ｅの説明会コードと関連付いた説明会コード、前記学生情報６ｄの学生コードから作られた学生コード、参加ＩＤ、及び参加データを有する説明会参加情報６ｆ、
前記学生情報６ｄの学生データから作られた学生コード、前記企業情報６ｂの企業コードから作られた企業コード、及び期間データを有するインターン情報６ｇ、
推薦コード、前記企業情報６ｂの企業コードから作られた企業コード、前記学校情報６ｃの学校コードから作られた学校コード、及び推薦条件を有する推薦情報６ｈ、
前記推薦情報６ｈの推薦コードと関連付いた推薦コード、前記学生情報６ｄの学生コードから作られた学生コード、推薦フラグ、及び結果フラグを有する推薦申込情報６ｉ、
試験コード、説明会参加情報６ｆ、インターン情報６ｇ又は推薦申込情報６ｉの学生コードから作られた学生コード、前記企業情報６ｂから作られた企業コード、日程データ、参加データ、及び結果フラグを有する入社試験情報６ｊ、並びに、
提供コード、前記学校情報６ｃの学校コードから作られた学校コード、通知内容、及び登録時間を有する提供情報６ｋを、
リレーショナルデータベースとして構築したデータベース６を記憶装置５ｂに備え、
中央処理装置５ａが各手段を制御し、前記記憶装置５ｂのデータベース６を操作するサーバ５と、前記サーバ５とインターネット８を介してデータのやり取りを行う企業２、学校３及び学生４のクライアント７とからなり、
サーバ５が企業２、学校３又は学生４のクライアント７から基本データを受信したら、データベース６の企業情報６ｂ、学校情報６ｃ又は学生情報６ｄに基本データを追加し、ＩＤ及びパスワードを生成してデータベース６の管理情報６ａに設定すると共に、当該企業２、学校３又は学生４のクライアント７に前記ＩＤ及びパスワードをメールで送信する登録１１の手段、
サーバ５が前記登録１１された企業２、学校３又は学生４のクライアント７からＩＤ及びパスワードを受信したら、データベース６の管理情報６ａに設定されているＩＤを照合してパスワードが一致するか判断する認証１２の手段、
サーバ５が前記認証１２された企業２又は学校３のクライアント７から学内説明会の開催を打診する学校３又は企業２の条件を受信したら、データベース６の学校情報６ｃ又は企業情報６ｂから前記条件を満たす学校３又は企業２のデータを集合として抽出し、一覧として編集したものを前記クライアント７に返送した後、前記クライアント７から選択した学校３又は企業２及び日時データを受信したら、データベース６の説明会日時情報６ｅに日時データを追加すると共に、選択した学校３又は企業２のクライアント７に学内説明会を希望している旨をメールで送信する説明会参加打診１３の手段、
サーバ５が前記認証１２された学校３又は企業２のクライアント７から学校３又は企業２の学内説明会の日程を変更する旨を受信したら、データベース６の説明会日時情報６ｅから説明会参加打診１３をした企業２又は学校３のデータ及び日時データを集合として抽出し、一覧として編集したものを前記クライアント７に返送した後、前記クライアント７から選択した企業２又は学校３及び変更後の日時データを受信したら、データベース６の説明会日時情報６ｅを更新すると共に、選択した企業２又は学校３のクライアント７に変更後の日時データをメールで送信する日程調整１４の手段、
サーバ５が前記認証１２された学生４のクライアント７から学内説明会の開催を希望する企業２の条件を受信したら、データベース６の企業情報６ｂから前記条件を満たす企業２のデータを集合として抽出し、一覧として編集したものを前記クライアント７に返送した後、前記クライアント７から選択した企業２を受信したら、選択した企業２と説明会参加打診１３をするように要請する旨のメールを作成し、学校３のクライアント７に前記メールを送信する説明会開催要請１５の手段、
サーバ５が前記認証１２された学生４のクライアント７から学内説明会への参加を希望する企業２の条件を受信したら、データベース６の企業情報６ｂ及び説明会日時情報６ｅを検索して該当するデータを集合として抽出し、一覧として編集したものを前記クライアント７に返送した後、前記クライアント７から選択した企業２を受信したら、データベース６の説明会参加情報６ｆに説明会日時情報６ｅと関連付けて参加データを追加すると共に参加ＩＤを設定し、前記クライアント７に参加ＩＤをメールで送信する説明会参加申込み１６の手段、
サーバ５が前記認証１２された学生４のクライアント７から参加ＩＤを受信したら、データベース６の説明会参加情報６ｆに設定されている参加ＩＤを照合して説明会日時情報６ｅから企業２のデータを抽出し、確認画面を前記クライアント７に返送した後、前記クライアント７からインターンシップの申込みを受信したら、データベース６のインターン情報６ｇに申込みを追加すると共に、当該企業２のクライアント７に申込みをメールで送信するインターン申込み１７の手段、
サーバ５が前記認証１２された企業２のクライアント７から企業２のインターンシップを受け付ける旨を受信したら、データベース６のインターン情報６ｇからインターン申込み１７をした学生４のデータを集合として抽出し、一覧として編集したものを前記クライアント７に返送した後、前記クライアント７から選択した学生４及び期間データを受信したら、データベースのインターン情報６ｇに期間データを追加すると共に、選択した学生４のクライアント７に期間データをメールで送信するインターン受付１８の手段、
サーバ５が前記認証１２された企業２のクライアント７から推薦を募集する旨を受信したら、データベース６の学校情報６ｃから学校３のデータを集合として抽出し、一覧として編集したものを前記クライアント７に返送した後、前記クライアント７から選択した学校３及び推薦条件を受信したら、データベース６の推薦情報６ｈに推薦条件を追加すると共に、選択した学校３のクライアント７に推薦条件をメールで送信する推薦募集３６の手段、
サーバ５が前記認証１２された学校３のクライアント７から説明会参加打診１３又は推薦募集３６の内容を編集したものを受信したら、データベース６の提供情報６ｋに前記内容を蓄積し、一定時間毎に学生４のクライアント７に前記内容をメールで配信する情報提供３７の手段、
サーバ５が前記認証１２された学生４のクライアント７から情報提供３７した学校３に推薦を希望する旨を受信したら、データベース６の推薦情報６ｈから推薦募集３６をした企業２のデータを集合として抽出し、一覧として編集したものを前記クライアント７に返送した後、前記クライアント７から選択した企業２を受信したら、データベース６の推薦申込情報６ｉに推薦申込みを追加すると共に、当該学校３のクライアント７に推薦申込みをメールで送信する自己推薦３８の手段、
サーバ５が前記認証１２された学校３のクライアント７から推薦を行う旨を受信したら、データベース６の推薦申込情報６ｉから自己推薦３８をした学生４のデータを集合として抽出し、一覧として編集したものを前記クライアント７に返送した後、前記クライアント７から選択した学生４を受信したら、データベース６の推薦申込情報６ｉの推薦フラグを書き換えると共に、選択した学生４を推薦する旨のメールを作成し、推薦募集３６した企業２のクライアント７に前記メールを送信する学校推薦３９の手段、
サーバ５が前記認証１２された企業２のクライアント７から入社試験を通知する旨を受信したら、データベース６の推薦申込情報６ｉ、説明会参加情報６ｆ又はインターン情報６ｇから学校推薦３９に落選した学生４、説明会参加申込み１６をした学生４又はインターン申込み１７をした学生４のデータを集合として抽出し、一覧として編集したものを前記クライアント７に返送した後、前記クライアント７で選択した学生４及び日程データを受信したら、データベースの入社試験情報６ｊに日程データを追加すると共に、当該学生４のクライアント７に採用試験を実施する旨をメールで送信する入社試験４０の手段、
並びに、サーバ５が前記認証１２された企業２のクライアント７から結果を通知する旨を受信したら、データベース６の推薦申込情報６ｉ又は入社試験情報６ｊから学校推薦３９された学生４又は入社試験４０を受けた学生４のデータを集合として抽出し、一覧として編集したものを前記クライアント７に返送した後、前記クライアント７から選択した学生４及び合否を受信したら、データベース６の推薦申込情報６ｉの結果フラグ又は入社試験情報６ｊの結果フラグを更新すると共に、当該学生４のクライアント７に合否をメールで送信する結果通知４１の手段を備えることを特徴とする新卒者採用システム１。